【事件の表示】
　特願２０００−５１７０４６「多置換プロテアーゼ変種およびアミラーゼ変種を含有したクリーニング組成物」拒絶査定不服審判事件〔平成１１年　４月２９日国際公開、ＷＯ９９／２０７２３、平成１３年１０月３０日国内公表、特表２００１−５２０３０５〕について、次のとおり審決する。
【結　論】
　本件審判の請求は、成り立たない。
【理　由】
第１　手続の経緯
　本件審判請求に係る出願（以下「本願」という。）は、平成１０年１０月２３日付けでなされた国際特許出願（パリ条約に基づく優先権主張：１９９７年１０月２３日、米国）であって、以降の手続の経緯は以下のとおりのものである。
　
　平成１２年　４月２４日　　　　翻訳文提出
　平成１７年　９月２１日　　　　出願審査請求
　平成２１年　８月１８日付け　　拒絶理由通知
　平成２２年　２月２２日　　　　意見書・手続補正書
　平成２２年　３月２６日付け　　拒絶査定
　平成２２年　７月３０日　　　　本件審判請求
　　　　　　　　　　同日　　　　手続補正書
　平成２２年　９月　９日付け　　審査前置移管
　平成２２年１０月１９日付け　　前置報告書
　平成２２年１０月２２日付け　　審査前置解除
　平成２２年１２月　３日付け　　審尋
　平成２３年　６月　７日　　　　回答書
　
第２　平成２２年７月３０日付け手続補正の却下の決定
　
＜結論＞
　平成２２年７月３０日付け手続補正を却下する。
　
＜却下の理由＞　
Ｉ．補正の内容
　上記手続補正（以下「本件補正」という。）では、特許請求の範囲につき下記の補正がされている。
　
１．補正前
「【請求項１】 
　布帛および／または皿洗いおよび／または硬質表面クリーニング組成物であって、（Ａ）有効量のプロテアーゼ変種と、（Ｂ）アミラーゼ変種と、（Ｃ）一種以上のクリーニング補助物質とを含んでなるものであり、
　前記（Ａ）有効量のプロテアーゼ変種が、Bacillus　amyloliquefaciensズブチリシンの１０１Ｇ／１０３Ａ／１０４Ｉ／１５９Ｄ／２３２Ｖ／２３６Ｈ／２４５Ｒ／２４８Ｄ／２５２Ｋ位に相当する１以上のアミノ酸残基位置で、他の天然アミノ酸残基によるアミノ酸残基の置換を有するものであり、
　前記（Ｂ）アミラーゼ変種が、
（ｉ）２５〜５５℃の温度範囲および８〜１０範囲のｐＨ値で、Phadebasα‐アミラーゼ活性アッセイで測定すると、Termamylの比活性より少くとも２５％高い比活性を有することで特徴づけられるα‐アミラーゼ、
（ｉｉ）ＳＥＱ　ＩＤ　Ｎｏ．１で示されたアミノ酸配列を含んだ（ｉ）によるα‐アミラーゼ、またはＳＥＱ　ＩＤ　Ｎｏ．１で示されたアミノ酸配列と少なくとも８０％相同的なα‐アミラーゼ、
（ｉｉｉ）ＳＥＱ　ＩＤ　Ｎｏ．２で示されたアミノ酸配列を含んだ（ｉ）によるα‐アミラーゼ、またはＳＥＱ　ＩＤ　Ｎｏ．２で示されたアミノ酸配列と少なくとも８０％相同的なα‐アミラーゼ、
（ｉｖ）下記アミノ酸配列のＮ末端：Ｈｉｓ‐Ｈｉｓ‐Ａｓｎ‐Ｇｌｙ‐Ｔｈｒ‐Ａｓｎ‐Ｇｌｙ‐Ｔｈｒ‐Ｍｅｔ‐Ｍｅｔ‐Ｇｌｎ‐Ｔｙｒ‐Ｐｈｅ‐Ｇｌｕ‐Ｔｒｐ‐Ｔｙｒ‐Ｌｅｕ‐Ｐｒｏ‐Ａｓｎ‐Ａｓｐ（ＳＥＱ　ＩＤ　Ｎｏ．３）を含んだ（ｉ）によるα‐アミラーゼ、またはＮ末端において（ＳＥＱ　ＩＤ　Ｎｏ．３）で示されたアミノ酸配列と少なくとも８０％相同的なα‐アミラーゼ、又は
（ｖｉ）株ＮＣＩＢ１２２８９、ＮＣＩＢ１２５１２、ＮＣＩＢ１２５１３およびＤＳＭ９３５の何れかから得られるα‐アミラーゼであり、
　前記（Ｃ）クリーニング補助物質が、界面活性剤、溶媒、緩衝剤、酵素、汚れ放出剤、土汚れ除去剤、分散剤、増白剤、起泡抑制剤、布帛柔軟剤、泡増強剤、酵素安定剤、ビルダー、色素、香料、キラントおよびそれらの混合物からなる群より選択されてなるものである、クリーニング組成物。
【請求項２】
　前記（Ｂ）アミラーゼ変種が、好アルカリ性Bacillus種から得られてなる、請求項１に記載のクリーニング組成物。
【請求項３】
　前記（Ｃ）クリーニング補助物質における前記界面活性剤が、洗浄界面活性剤、分岐界面活性剤、中間鎖分岐界面活性剤である、請求項１に記載のクリーニング組成物。
【請求項４】
　前記（Ｃ）クリーニング補助物質における前記界面活性剤が、前記クリーニング組成物の少なくとも０．１重量％の量で含んでなるものである、請求項１に記載のクリーニング組成物。
【請求項５】
　前記（Ｃ）クリーニング補助物質における前記界面活性剤が、アルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホン化脂肪酸エステル、アルキルおよびアルキルフェノールアルコキシレート、ベタインおよびスルホベタイン、アミンオキシド、Ｎ‐メチルグルカミド、ノニオン性一級アルコールエトキシレート、ノニオン性一級アルコール混合エトキシ／プロポキシおよびそれらの混合物からなる群より選択されるものである、請求項１に記載のクリーニング組成物。
【請求項６】
　前記（Ｃ）クリーニング補助物質における前記ビルダーが、前記クリーニング組成物の少なくとも５重量％の量で含んでなるものである、請求項１に記載のクリーニング組成物。
【請求項７】
　前記（Ｃ）クリーニング補助物質における前記ビルダーが、ゼオライト、ポリカルボキシレート、積層シリケート、ホスフェートおよびそれらの混合物からなる群より選択されてなるものである、請求項１に記載のクリーニング組成物。
【請求項８】
　前記（Ｃ）クリーニング補助物質における前記酵素が、洗浄酵素であり、セルラーゼ、リパーゼ、前記（Ｂ）アミラーゼ変種以外のアミラーゼ、ホスホリパーゼ、前記（Ａ）プロテアーゼ変種以外のプロテアーゼ、ペルオキシダーゼおよびそれらの混合物からなる群より選択される少なくとも一種である、請求項１に記載のクリーニング組成物。
【請求項９】　
　前記（Ｃ）クリーニング補助物質における前記漂白剤が、ペルカーボネート、ペルボレートおよびそれらの混合物からなる群より選択される少なくとも一種である、請求項１に記載のクリーニング組成物。
【請求項１０】
　前記（Ｃ）クリーニング補助物質として、ベンゾイルオキシベンゼンスルホネート（ＢＯＢＳ）、ノナノイルオキシベンゼンスルホネート（ＮＯＢＳ）、デカノイルオキシベンゼンスルホネート（Ｃ１０‐ＯＢＳ）、オクタノイルオキシベンゼンスルホネート（Ｃ８‐ＯＢＳ）、ペルヒドロライズしうるエステル、４‐〔Ｎ‐（ノナノイル）アミノヘキサノイルオキシ〕ベンゼンスルホネートナトリウム塩（ＮＡＣＡ‐ＯＢＳ）、ラウリルオキシベンゼンスルホネート（ＬＯＢＳまたはＣ１２‐ＯＢＳ）、１０‐ウンデセノイルオキシベンゼンスルホネート（１０位に不飽和のＵＤＯＢＳまたはＣ１１‐ＯＢＳ）、デカノイルオキシ安息香酸（ＤＯＢＡ）およびそれらの混合物からなる群より選択される少なくとも一種のブリーチアクチベーターを更に含んでなる、請求項１に記載のクリーニング組成物。
【請求項１１】
　ブリーチ触媒をさらに含んでなる、請求項１に記載のクリーニング組成物。
【請求項１２】
　液体、顆粒、バー、錠剤、ゲル、粉末またはフォーム形態である、請求項１に記載のクリーニング組成物。
【請求項１３】
（Ａ）０．０００１〜１０重量％の前記プロテアーゼ変種と、
（Ｂ）０．０００１〜０．１重量％の前記アミラーゼ変種と、
　前記（Ｃ）クリーニング補助物質として、アルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホン化脂肪酸エステル、アルキルおよびアルキルフェノールアルコキシレート、ベタインおよびスルホベタイン、アミンオキシド、Ｎ‐メチルグルカミド、ノニオン性一級アルコールエトキシレート、ノニオン性一級アルコール混合エトキシ／プロポキシおよびそれらの混合物からなる群より選択される、少なくとも５重量％の前記界面活性剤と、
　ゼオライト、ポリカルボキシレート、積層シリケート、ホスフェートおよびそれらの混合物からなる群より選択される少なくとも５重量％の前記ビルダーとを含んでなる、布帛クリーニング組成物としての、請求項１に記載のクリーニング組成物。
【請求項１４】
　少なくとも１５％の界面活性剤を含んでなり、濃縮顆粒である布帛クリーニング組成物としての、請求項１３に記載のクリーニング組成物。
【請求項１５】
　布帛に、請求項１３または１４に記載されたクリーニング組成物と接触させることを含んでなる、布帛のクリーニング方法。
【請求項１６】
（Ａ）０．０００１〜１０重量％の前記プロテアーゼ変種と、
（Ｂ）０．０００１〜０．１重量％の前記アミラーゼ変種と、
（Ｃ）０．１〜１０重量％の界面活性剤とを含んでなる、皿洗い組成物としての、請求項１に記載のクリーニング組成物。
【請求項１７】
　皿に、請求項１６に記載されたクリーニング組成物と接触させることを含んでなる、皿のクリーニング方法。
【請求項１８】
　パーソナルクレンジング組成物であって、　
（Ａ）有効量のプロテアーゼ変種と、（Ｂ）アミラーゼ変種と、（Ｃ）一種以上のクリーニング補助物質とを含んでなるものであり、
　前記（Ａ）有効量のプロテアーゼ変種が、Bacillus　amyloliquefaciensズブチリシンの１０１Ｇ／１０３Ａ／１０４Ｉ／１５９Ｄ／２３２Ｖ／２３６Ｈ／２４５Ｒ／２４８Ｄ／２５２Ｋ位に相当する１以上のアミノ酸残基位置で、他の天然アミノ酸残基によるアミノ酸残基の置換を有するものであり、
　前記（Ｂ）アミラーゼ変種が、
（ｉ）２５〜５５℃の温度範囲および８〜１０範囲のｐＨ値で、Phadebasα‐アミラーゼ活性アッセイで測定すると、Termamylの比活性より少くとも２５％高い比活性を有することで特徴づけられるα‐アミラーゼ、
（ｉｉ）ＳＥＱ　ＩＤ　Ｎｏ．１で示されたアミノ酸配列を含んだ（ｉ）によるα‐アミラーゼ、またはＳＥＱ　ＩＤ　Ｎｏ．１で示されたアミノ酸配列と少なくとも８０％相同的なα‐アミラーゼ、
（ｉｉｉ）ＳＥＱ　ＩＤ　Ｎｏ．２で示されたアミノ酸配列を含んだ（ｉ）によるα‐アミラーゼ、またはＳＥＱ　ＩＤ　Ｎｏ．２で示されたアミノ酸配列と少なくとも８０％相同的なα‐アミラーゼ、
（ｉｖ）下記アミノ酸配列のＮ末端：Ｈｉｓ‐Ｈｉｓ‐Ａｓｎ‐Ｇｌｙ‐Ｔｈｒ‐Ａｓｎ‐Ｇｌｙ‐Ｔｈｒ‐Ｍｅｔ‐Ｍｅｔ‐Ｇｌｎ‐Ｔｙｒ‐Ｐｈｅ‐Ｇｌｕ‐Ｔｒｐ‐Ｔｙｒ‐Ｌｅｕ‐Ｐｒｏ‐Ａｓｎ‐Ａｓｐ（ＳＥＱ　ＩＤ　Ｎｏ．３）を含んだ（ｉ）によるα‐アミラーゼ、またはＮ末端において（ＳＥＱ　ＩＤ　Ｎｏ．３）で示されたアミノ酸配列と少なくとも８０％相同的なα‐アミラーゼ、又は
（ｖｉ）株ＮＣＩＢ１２２８９、ＮＣＩＢ１２５１２、ＮＣＩＢ１２５１３およびＤＳＭ９３５の何れかから得られるα‐アミラーゼであり、
　前記（Ｃ）クリーニング補助物質が、界面活性剤、溶媒、緩衝剤、酵素、汚れ放出剤、土汚れ除去剤、分散剤、増白剤、起泡抑制剤、布帛柔軟剤、泡増強剤、酵素安定剤、ビルダー、色素、香料、キラントおよびそれらの混合物からなる群より選択されてなるものである、パーソナルクレンジング組成物。
【請求項１９】　
（Ａ）０．００１〜５重量％の前記プロテアーゼ変種と、
（Ｂ）０．００１〜０．１重量％の前記アミラーゼ変種と、
　前記（Ｃ）クリーニング補助物質として、アニオン性カルボキシレート、アミンオキシド、アルキルグルコシド、グルコースアミド、アルキルサルフェート、アルキルエーテルサルフェート、アシルイセチオネート、アルキルスルホサクシネート、アルキルホスフェートエステル、エトキシル化ホスフェートエステル、アルキルグリセリルエーテルスルホネートおよびそれらの混合物からなる群より選択される界面活性剤、更に好ましくは石鹸、アシルグルタメート、アルキルサルコシネート、ラウラミンオキシド、コカミンオキシド、コカミドプロピルアミンオキシド、デシルグルコシド、ラウリルサルフェート、ラウレスサルフェート、Ｃ１２−１８アシルイセチオネートおよびそれらの混合物からなる群より選択される、０．１〜９５重量％の前記界面活性剤とを含んでなる、請求項１８に記載のパーソナルクレンジング組成物。
【請求項２０】
　前記界面活性剤が、前記パーソナルクレンジング組成物の少くとも２重量％の量の石鹸である、請求項１９に記載のパーソナルクレンジング組成物。
【請求項２１】
　石鹸と、前記（Ａ）プロテアーゼ変種の比率が２０００：１〜８：１である、請求項２０に記載のパーソナルクレンジング組成物。
【請求項２２】
　前記（Ｃ）クリーニング補助物質における前記酵素安定剤を０．０５〜５０重量％の量で含んでなる、請求項１８に記載のパーソナルクレンジング組成物。
【請求項２３】
　人又は動物のボディの一部を請求項１８に記載されたパーソナルクレンジング組成物と接触させることを含んでなる、パーソナルクレンジング方法。」
（以下、「旧請求項１」ないし「旧請求項２３」という。）
　
２．補正後　
「【請求項１】　
　布帛および／または皿洗いおよび／または硬質表面クリーニング組成物であって、
（Ａ）０．０００１〜１０重量％のプロテアーゼ変種と、
（Ｂ）０．０００１〜０．１重量％のアミラーゼ変種と、
（Ｃ）一種以上のクリーニング補助物質とを含んでなるものであり、
前記（Ａ）プロテアーゼ変種が、Bacillus　amyloliquefaciensズブチリシンの１０１Ｇ／１５９Ｄ／２３２Ｖ／２３６Ｈ／２４５Ｒ／２４８Ｄ／２５２Ｋ位に相当する１以上のアミノ酸残基位置で、他の天然アミノ酸残基によるアミノ酸残基の置換を有するものであり、
　前記（Ｂ）アミラーゼ変種が、好アルカリ性Ｂａｃｉｌｌｕｓ種から得られてなるものであり、
かつ、
（ｉ）２５〜５５℃の温度範囲および８〜１０範囲のｐＨ値で、Phadebasα‐アミラーゼ活性アッセイで測定すると、Termamylの比活性より少くとも２５％高い比活性を有することで特徴づけられるα‐アミラーゼ、
（ｉｉ）ＳＥＱ　ＩＤ　Ｎｏ．１で示されたアミノ酸配列を含んだ（ｉ）によるα‐アミラーゼ、またはＳＥＱ　ＩＤ　Ｎｏ．１で示されたアミノ酸配列と少なくとも８０％相同的なα‐アミラーゼ、
（ｉｉｉ）ＳＥＱ　ＩＤ　Ｎｏ．２で示されたアミノ酸配列を含んだ（ｉ）によるα‐アミラーゼ、またはＳＥＱ　ＩＤ　Ｎｏ．２で示されたアミノ酸配列と少なくとも８０％相同的なα‐アミラーゼ、
（ｉｖ）下記アミノ酸配列のＮ末端：Ｈｉｓ‐Ｈｉｓ‐Ａｓｎ‐Ｇｌｙ‐Ｔｈｒ‐Ａｓｎ‐Ｇｌｙ‐Ｔｈｒ‐Ｍｅｔ‐Ｍｅｔ‐Ｇｌｎ‐Ｔｙｒ‐Ｐｈｅ‐Ｇｌｕ‐Ｔｒｐ‐Ｔｙｒ‐Ｌｅｕ‐Ｐｒｏ‐Ａｓｎ‐Ａｓｐ（ＳＥＱ　ＩＤ　Ｎｏ．３）を含んだ（ｉ）によるα‐アミラーゼ、またはＮ末端において（ＳＥＱ　ＩＤ　Ｎｏ．３）で示されたアミノ酸配列と少なくとも８０％相同的なα‐アミラーゼ、又は
（ｖｉ）株ＮＣＩＢ１２２８９、ＮＣＩＢ１２５１２、ＮＣＩＢ１２５１３およびＤＳＭ９３５の何れかから得られるα‐アミラーゼであり、
　前記（Ｃ）クリーニング補助物質が、界面活性剤、溶媒、緩衝剤、酵素、汚れ放出剤、土汚れ除去剤、分散剤、増白剤、漂白剤、起泡抑制剤、布帛柔軟剤、泡増強剤、酵素安定剤、ビルダー、色素、香料、キラント、ブリーチアクチベーターおよびそれらの混合物からなる群より選択されてなるものであり、
　前記界面活性剤が、アルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホン化脂肪酸エステル、アルキルおよびアルキルフェノールアルコキシレート、ベタインおよびスルホベタイン、アミンオキシド、Ｎ‐メチルグルカミド、ノニオン性一級アルコールエトキシレート、ノニオン性一級アルコール混合エトキシ／プロポキシおよびそれらの混合物からなる群より選択されるものであり、
　前記酵素が、洗浄酵素であり、セルラーゼ、リパーゼ、前記（Ｂ）アミラーゼ変種以外のアミラーゼ、ホスホリパーゼ、前記（Ａ）プロテアーゼ変種以外のプロテアーゼ、ペルオキシダーゼおよびそれらの混合物からなる群より選択される少なくとも一種であり、
　前記ビルダーが、ゼオライト、ポリカルボキシレート、積層シリケート、ホスフェートおよびそれらの混合物からなる群より選択されてなるものであり、
　前記漂白剤が、ペルカーボネート、ペルボレートおよびそれらの混合物からなる群より選択される少なくとも一種であり、
　前記ブリーチアクチベーターが、ベンゾイルオキシベンゼンスルホネート（ＢＯＢＳ）、ノナノイルオキシベンゼンスルホネート（ＮＯＢＳ）、デカノイルオキシベンゼンスルホネート（Ｃ１０‐ＯＢＳ）、オクタノイルオキシベンゼンスルホネート（Ｃ８‐ＯＢＳ）、ペルヒドロライズしうるエステル、４‐〔Ｎ‐（ノナノイル）アミノヘキサノイルオキシ〕ベンゼンスルホネートナトリウム塩（ＮＡＣＡ‐ＯＢＳ）、ラウリルオキシベンゼンスルホネート（ＬＯＢＳまたはＣ１２‐ＯＢＳ）、１０‐ウンデセノイルオキシベンゼンスルホネート（１０位に不飽和のＵＤＯＢＳまたはＣ１１‐ＯＢＳ）、デカノイルオキシ安息香酸（ＤＯＢＡ）およびそれらの混合物からなる群より選択される少なくとも一種である、クリーニング組成物。
【請求項２】
　前記界面活性剤が、前記クリーニング組成物の少なくとも０．１重量％の量で含んでなるものである、請求項１に記載のクリーニング組成物。
【請求項３】
　前記ビルダーが、前記クリーニング組成物の少なくとも５重量％の量で含んでなるものである、請求項１に記載のクリーニング組成物。
【請求項４】
　ブリーチ触媒をさらに含んでなる、請求項１に記載のクリーニング組成物。
【請求項５】
　液体、顆粒、バー、錠剤、ゲル、粉末またはフォーム形態である、請求項１に記載のクリーニング組成物。
【請求項６】
　前記（Ｃ）クリーニング補助物質として、
　少なくとも５重量％の前記界面活性剤と、
　少なくとも５重量％の前記ビルダーとを含んでなる、布帛クリーニング組成物としての、請求項１に記載のクリーニング組成物。
【請求項７】
　少なくとも１５％の界面活性剤を含んでなり、濃縮顆粒である布帛クリーニング組成物としての、請求項６に記載のクリーニング組成物。
【請求項８】
　布帛に、請求項６又は７に記載されたクリーニング組成物と接触させることを含んでなる、布帛のクリーニング方法。
【請求項９】
（Ａ）０．０００１〜１０重量％の前記プロテアーゼ変種と、
（Ｂ）０．０００１〜０．１重量％の前記アミラーゼ変種と、
（Ｃ）０．１〜１０重量％の界面活性剤とを含んでなる、皿洗い組成物としての、請求項１に記載のクリーニング組成物。
【請求項１０】
　皿に、請求項９に記載されたクリーニング組成物と接触させることを含んでなる、皿のクリーニング方法。」
（以下、「新請求項１」ないし「新請求項１０」という。）
　
ＩＩ．補正事項に係る検討
　
１．新規事項の追加の有無
　まず、本件補正に係る各事項が、本願の願書に最初に添付した明細書、配列表又は図面（以下「本願当初明細書」という。）に記載した事項の範囲内のものかにつき検討すると、本件補正に係る各事項は、全ての事項につき本願当初明細書に記載しているか、本願当初明細書に記載した事項に基づき当業者に一応自明な事項のみである。
　したがって、本件補正は、本願当初明細書に記載した事項の範囲内で行われたものと認められる。
　
２．補正の目的の適否
　次に、本件補正は、上記Ｉ．のとおり、特許請求の範囲に係る補正事項を含むので、平成１４年法律第２４号改正附則第２条第１項の規定によりなお従前の例によるとされる改正前の（以下「平成１４年改正前」という。）特許法第１７条の２第４項各号に掲げる事項を目的とするものか否かにつき検討する。
　本件補正では、旧請求項１に対して、（ａ）旧請求項２のアミラーゼ変種の取得に関する事項、（ｂ）旧請求項５の界面活性剤の種別に関する事項、（ｃ）旧請求項８の酵素の種別に関する事項、（ｄ）旧請求項７のビルダーの種別に関する事項及び（ｅ）旧請求項１３又は旧請求項１６のプロテアーゼ変種並びにアミラーゼ変種の組成比に関する事項をそれぞれ付加するとともに、（ｆ）「（Ｃ）一種以上のクリーニング補助物質」の並列的選択肢に「漂白剤」及び「ブリーチアクチベーター」を付加した上で旧請求項９の漂白剤の種別に関する事項及び旧請求項１０のブリーチアクチベーターの種別に関する事項をそれぞれ付加して、新請求項１としている。
　しかるに、上記（ａ）ないし（ｅ）の各事項の付加は、旧請求項１に記載されていた各事項をさらに限定するものと認められるが、上記（ｆ）の各事項の付加は、旧請求項１の「（Ｃ）一種以上のクリーニング補助物質」の並列的選択肢を増加させているのであるから、旧請求項１に記載されていた事項を限定するものでなく、むしろ拡張するものと認められる。
　なお、旧請求項９及び１０の各記載を検討すると、旧請求項９には「前記（Ｃ）クリーニング補助物質における前記漂白剤が、・・少なくとも一種である、請求項１に記載のクリーニング組成物」なる記載はあるが、旧請求項９より前に記載された各旧請求項には「漂白剤」が記載されていないから、旧請求項９の記載が、旧請求項１の並列的選択肢に「漂白剤」を付加し得る要因となるとはいえない。
　また、旧請求項１０には「前記（Ｃ）クリーニング補助物質として、・・少なくとも一種のブリーチアクチベーターを更に含んでなる、請求項１に記載のクリーニング組成物」なる記載はあるが、当該記載は、旧請求項１に記載された（Ａ）成分、（Ｂ）成分及び他の（Ｃ）成分を含むクリーニング組成物にさらにブリーチアクチベーターを含有させることを意味することが明らかであるから、旧請求項１０の記載が、旧請求項１の「（Ｃ）一種以上のクリーニング補助物質」の並列的選択肢に「ブリーチアクチベーター」を単に付加し得る要因となるとはいえない。
　してみると、旧請求項１から新請求項１への補正は、旧請求項１に記載した発明を特定するために必要な事項を限定するものということができず、平成１４年改正前特許法第１７条の２第４項第２号に掲げる「特許請求の範囲の減縮」を目的とするものということができない。
　さらに、上記旧請求項１から新請求項１への補正は、平成１４年改正前特許法第１７条の２第４項に掲げる「請求項の削除」、「誤記の訂正」又は「明りょうでない記載の釈明」のいずれかを目的とするものということもできない。
　したがって、上記旧請求項１から新請求項１への特許請求の範囲の補正を含む本件補正は、平成１４年改正前特許法第１７条の２第４項各号に掲げる事項を目的とするものではない。
　
３．独立特許要件
　上記２．のとおり、本件補正は、平成１４年改正前特許法第１７条の２第４項各号に掲げる事項を目的とするものではないが、仮に、同法同条同項第２号に掲げる特許請求の範囲の減縮を目的とするものであるとして、新請求項１に係る発明（以下「本件補正発明」という。）が、特許出願の際独立して特許を受けることができるか否かにつき検討する。
　
（１）本件補正発明
　本件補正発明は、再掲すると以下のとおりの記載事項により特定されるものである。
「布帛および／または皿洗いおよび／または硬質表面クリーニング組成物であって、
（Ａ）０．０００１〜１０重量％のプロテアーゼ変種と、
（Ｂ）０．０００１〜０．１重量％のアミラーゼ変種と、
（Ｃ）一種以上のクリーニング補助物質とを含んでなるものであり、
前記（Ａ）プロテアーゼ変種が、Bacillus　amyloliquefaciensズブチリシンの１０１Ｇ／１５９Ｄ／２３２Ｖ／２３６Ｈ／２４５Ｒ／２４８Ｄ／２５２Ｋ位に相当する１以上のアミノ酸残基位置で、他の天然アミノ酸残基によるアミノ酸残基の置換を有するものであり、
　前記（Ｂ）アミラーゼ変種が、好アルカリ性Ｂａｃｉｌｌｕｓ種から得られてなるものであり、
かつ、
（ｉ）２５〜５５℃の温度範囲および８〜１０範囲のｐＨ値で、Phadebasα‐アミラーゼ活性アッセイで測定すると、Termamylの比活性より少くとも２５％高い比活性を有することで特徴づけられるα‐アミラーゼ、
（ｉｉ）ＳＥＱ　ＩＤ　Ｎｏ．１で示されたアミノ酸配列を含んだ（ｉ）によるα‐アミラーゼ、またはＳＥＱ　ＩＤ　Ｎｏ．１で示されたアミノ酸配列と少なくとも８０％相同的なα‐アミラーゼ、
（ｉｉｉ）ＳＥＱ　ＩＤ　Ｎｏ．２で示されたアミノ酸配列を含んだ（ｉ）によるα‐アミラーゼ、またはＳＥＱ　ＩＤ　Ｎｏ．２で示されたアミノ酸配列と少なくとも８０％相同的なα‐アミラーゼ、
（ｉｖ）下記アミノ酸配列のＮ末端：Ｈｉｓ‐Ｈｉｓ‐Ａｓｎ‐Ｇｌｙ‐Ｔｈｒ‐Ａｓｎ‐Ｇｌｙ‐Ｔｈｒ‐Ｍｅｔ‐Ｍｅｔ‐Ｇｌｎ‐Ｔｙｒ‐Ｐｈｅ‐Ｇｌｕ‐Ｔｒｐ‐Ｔｙｒ‐Ｌｅｕ‐Ｐｒｏ‐Ａｓｎ‐Ａｓｐ（ＳＥＱ　ＩＤ　Ｎｏ．３）を含んだ（ｉ）によるα‐アミラーゼ、またはＮ末端において（ＳＥＱ　ＩＤ　Ｎｏ．３）で示されたアミノ酸配列と少なくとも８０％相同的なα‐アミラーゼ、又は
（ｖｉ）株ＮＣＩＢ１２２８９、ＮＣＩＢ１２５１２、ＮＣＩＢ１２５１３およびＤＳＭ９３５の何れかから得られるα‐アミラーゼであり、
　前記（Ｃ）クリーニング補助物質が、界面活性剤、溶媒、緩衝剤、酵素、汚れ放出剤、土汚れ除去剤、分散剤、増白剤、漂白剤、起泡抑制剤、布帛柔軟剤、泡増強剤、酵素安定剤、ビルダー、色素、香料、キラント、ブリーチアクチベーターおよびそれらの混合物からなる群より選択されてなるものであり、
　前記界面活性剤が、アルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホン化脂肪酸エステル、アルキルおよびアルキルフェノールアルコキシレート、ベタインおよびスルホベタイン、アミンオキシド、Ｎ‐メチルグルカミド、ノニオン性一級アルコールエトキシレート、ノニオン性一級アルコール混合エトキシ／プロポキシおよびそれらの混合物からなる群より選択されるものであり、
　前記酵素が、洗浄酵素であり、セルラーゼ、リパーゼ、前記（Ｂ）アミラーゼ変種以外のアミラーゼ、ホスホリパーゼ、前記（Ａ）プロテアーゼ変種以外のプロテアーゼ、ペルオキシダーゼおよびそれらの混合物からなる群より選択される少なくとも一種であり、
　前記ビルダーが、ゼオライト、ポリカルボキシレート、積層シリケート、ホスフェートおよびそれらの混合物からなる群より選択されてなるものであり、
　前記漂白剤が、ペルカーボネート、ペルボレートおよびそれらの混合物からなる群より選択される少なくとも一種であり、
　前記ブリーチアクチベーターが、ベンゾイルオキシベンゼンスルホネート（ＢＯＢＳ）、ノナノイルオキシベンゼンスルホネート（ＮＯＢＳ）、デカノイルオキシベンゼンスルホネート（Ｃ１０‐ＯＢＳ）、オクタノイルオキシベンゼンスルホネート（Ｃ８‐ＯＢＳ）、ペルヒドロライズしうるエステル、４‐〔Ｎ‐（ノナノイル）アミノヘキサノイルオキシ〕ベンゼンスルホネートナトリウム塩（ＮＡＣＡ‐ＯＢＳ）、ラウリルオキシベンゼンスルホネート（ＬＯＢＳまたはＣ１２‐ＯＢＳ）、１０‐ウンデセノイルオキシベンゼンスルホネート（１０位に不飽和のＵＤＯＢＳまたはＣ１１‐ＯＢＳ）、デカノイルオキシ安息香酸（ＤＯＢＡ）およびそれらの混合物からなる群より選択される少なくとも一種である、クリーニング組成物。」
　
（２）検討
　しかるに、本件補正発明については、下記の理由により特許出願の際独立して特許を受けることができるものではない。
　
理由１：本件補正後の出願は、明細書の発明の詳細な説明の記載が下記の点で不備であり、平成１４年改正前特許法第３６条第４項に規定する要件を満たしていない。
理由２：本件補正後の出願は、明細書の特許請求の範囲の記載が下記の点で不備であり、平成１４年改正前特許法第３６条第６項に規定する要件を満たしていない。
理由３：本件補正発明は、その出願前に当業者が日本国内又は外国において頒布された下記の刊行物に記載された発明に基いて容易に発明をすることができたものであるから、特許法第２９条第２項の規定により、特許を受けることができない。
　
ア．理由１について
　
（ア）本件補正後の明細書の発明の詳細な説明に記載された事項
　本件補正後の明細書の発明の詳細な説明には、以下の事項が記載されている。
　
（ア−１）
「【発明の分野】
　本発明は、多置換プロテアーゼ変種である１種以上のプロテアーゼ酵素およびアミラーゼ変種である１種以上のアミラーゼ酵素を含んだクリーニング組成物に関する。更に詳しくは、本発明は、１種以上の多置換プロテアーゼ変種および１種以上のアミラーゼ変種を含んだ、洗濯洗剤組成物、皿洗い洗剤組成物、硬質表面クリーニング組成物およびパーソナルクレンジング組成物に関する。」（【０００１】）
　
（ア−２）
「【発明の背景】
　様々なタイプの酵素が、布帛からあるしみの除去に役立てるため、洗濯洗剤でずっと用いられてきた。各クラスの酵素（アミラーゼ、プロテアーゼなど）は通常異なる化学反応を触媒する。例えば、プロテアーゼ酵素は他のタンパク質を加水分解する（化合物を２以上のより簡単な化合物に分解する）能力について知られている。この能力は、洗濯洗剤組成物への天然または工学処理プロテアーゼ酵素の配合を介して、利用されてきた。
　近年、その酵素の利用は自動皿洗い組成物向けにも研究されてきた。残念ながら、多くの酵素、例えば多くの慣用的なプロテアーゼ酵素は、洗浄環境にうまくなじめない。特に、熱安定性、ｐＨ安定性、酸化安定性および基質特異性は、申し分ない性能を保証するために至適化されねばならない。」（【０００２】〜【０００３】）
　
（ア−３）
「BaeckらのＵＳ特許５，６７９，６３０は、Bacillus amyloliquefaciensズブチリシンの９９、１０１、１０３、１０４、１０７、１２３、２７、１０５、１０９、１２６、１２８、１３５、１５６、１６６、１９５、１９７、２０４、２０６、２１０、２１６、２１７、２１８、２２２、２６０、２６５および／または２７４位のうち１以上と共に７６位に相当する位置で他のアミノ酸残基によるアミノ酸残基の置換をうけたプロテアーゼ変種、および１種以上のクリーニング組成物物質を含む、クリーニング組成物について開示している。」（【０００６】）
　
（ア−４）
「プロテアーゼ酵素に加えて、アミラーゼ酵素も様々な異なる目的に用いられてきており、・・（中略）・・次第に重要になりつつあるアミラーゼの別な使用は、布帛、硬質表面および／または皿の洗浄中におけるデンプン含有汚れおよびしみの除去である。
　１９９４年８月１８日付で公開されたＷＯ９４／１８３１４（Genencor）、１９９４年２月３日付で公開されたＷＯ９４／０２５９６(Novo)および１９９５年４月２０日付で公開されたＷＯ９５／１０６０３(Novo)では、変異アミラーゼを配合したクリーニング組成物について記載している。
　クリーニング組成物で使用上知られた他のアミラーゼには、α‐およびβ‐アミラーゼの双方がある。α‐アミラーゼは当業界で知られており、ＵＳ特許・・（中略）・・で開示されたものがある。
　１９９５年１０月５日付で公開されたＷＯ９５／２６３９７(Novo)では、２５〜５５℃の温度範囲および８〜１０範囲のｐＨ値でTermamylの比活性より少くとも２５％高い比活性を有したα‐アミラーゼについて開示している。
　１９９８年２月１２日付で公開されたＷＯ９８／０５７４８（Ｐ＆Ｇ）では、洗剤組成物で用いられる、ＷＯ９５／２６３９７で記載されたα‐アミラーゼの変種について開示している。」（【０００７】〜【００１１】）
　
（ア−５）
「１９９８年７月１６日付で公開されたＷＯ９８／３０６６９(Henkel)では、プロテアーゼがプロテアーゼ変異体であり・・（中略）・・、アミラーゼがアミラーゼ変異体である・・（中略）・・、プロテアーゼおよびアミラーゼ含有洗剤組成物について開示している。ＷＯ９８／３０６６９の組成物で使用に適したアミラーゼ変異体の例はＷＯ９４／０２５９７(Novo)、ＷＯ９５／１０６０３(Novo)およびＷＯ９４／１８３１４（Genencor）で開示されており、Duramyl(Novo)およびPurafect OxAm（Genencor）として市販されている。」（【００１２】）
　
（ア−６）
「しかしながら、従来の酵素含有クリーニング組成物に対して、基材からの汚れおよび／またはしみの向上したおよび／または改善されたクリーニング性(除去性および／または減少性)を発揮するクリーニング組成物について、消費者の必要性が存在し続けている。」（【００１３】）
　
（ア−７）
「本発明によると、多置換プロテアーゼ変種である新規なプロテアーゼ酵素、およびアミラーゼ変種、特にα‐アミラーゼ変種であるアミラーゼ酵素の組合せは、従来の酵素含有クリーニング組成物に対して、および／または本発明のアミラーゼ酵素なしに本発明の新規プロテアーゼ酵素を含有したクリーニング組成物に対して、向上したおよび／または改善された汚れおよび／またはしみ除去効果を発揮することがわかった。
　更に、本発明の新規プロテアーゼ酵素と本発明のアミラーゼ酵素との新規組合せを有したクリーニング組成物は、本発明の新規プロテアーゼ酵素または本発明のアミラーゼ酵素の双方ではなく、どちらか一方を含んだクリーニング組成物により得られる相加的クリーニング効果よりも、優れたクリーニング効果を発揮することが、意外にもわかった。
　したがって、改善された汚れおよび／またはしみ除去効果および／または布帛クリーニング効果を有するクリーニング組成物、特に洗濯洗剤組成物および／または皿洗い洗剤組成物を提供することが、本発明の目的である。
　更に、本出願で請求された特定の組合せはこれらいずれの先行文献でも示されていない。」（【００１４】〜【００１５】）
　
（ア−８）
「【発明の要旨】
　本発明の多置換プロテアーゼ変種は、クリーニング組成物で本発明のアミラーゼ変種と併用されたときに、従来の酵素含有クリーニング組成物よりも、限定されないが、しみおよび／または汚れ除去および／または減少および／または白さ維持および／または黒ずみ除去および／またはしみ付きおよび／または皮膜除去および／または減少を含めて、改善された高いクリーニング能力を発揮することが、意外にも発見されたという点で、本発明は前記のニーズを満たしている。
　本発明の多置換プロテアーゼ変種およびアミラーゼ変種は、高および低密度顆粒、重質および軽質液体、錠剤および固形合成洗剤組成物、および他のクリーニング組成物で使用に適している。」（【００１６】）
　
（ア−９）
「【実施例】
　下記例は本発明の組成物を例示するための意味であり、必ずしも本発明の範囲を制限したりまたは限定するような意味ではない。
　下記すべての例において、プロテアーゼ１はBacillus　amyloliquefaciensズブチリシンの１０１Ｇ／１０３Ａ／１０４Ｉ／１５９Ｄ／２３２Ｖ／２３６Ｈ／２４５Ｒ／２４８Ｄ／２５２Ｋ位に相当する位置で別な天然アミノ酸残基によるアミノ酸残基の置換をうけたプロテアーゼ変種を意味する。プロテアーゼ１は本発明のいずれか他の追加プロテアーゼ変種で置き換えてもよく、実質的に同様の結果が下記例で得られる。
　本発明のクリーニング組成物例において、プロテアーゼ１酵素レベルは全組成物の重量で純粋酵素により表示され、他の酵素レベルは全組成物の重量で原料により表示されており、別記されないかぎり、他の成分は全組成物の重量で表示されている。
　更に、下記すべての例において、アミラーゼ３は本発明によるアミラーゼ変種を意味する。
　更に、下記例において、当業者に知られている一部の略記が用いられており、本明細書における開示と一致している。」（【０１９７】〜【０１９８】）
　
（イ）検討
　上記（ア）で摘示した本件補正後の明細書の発明の詳細な説明の記載からみて、従来技術として、Bacillus amyloliquefaciensズブチリシンの１０１位及び７６位においてアミノ酸残基置換をうけたプロテアーゼ変種及び１種以上のクリーニング組成物物質を含むクリーニング組成物（上記摘示（ア−３）参照）、２５〜５５℃の温度範囲および８〜１０範囲のｐＨ値でTermamylの比活性より少くとも２５％高い比活性を有したα‐アミラーゼなどの変異アミラーゼを配合したクリーニング組成物又は洗剤組成物（上記摘示（ア−４）参照）及びプロテアーゼがプロテアーゼ変異体、アミラーゼがアミラーゼ変異体であるプロテアーゼおよびアミラーゼ含有洗剤組成物（上記摘示（ア−５）参照）がそれぞれ本願出願の日（優先日）前に従来技術として知られていたものと認められる。
　そして、当該従来技術に対して、本件補正発明では、「基材からの汚れおよび／またはしみの向上したおよび／または改善されたクリーニング性(除去性および／または減少性)を発揮するクリーニング組成物について、消費者の必要性が存在し続けている」こと（上記摘示（ア−６）参照）に対応し、「本発明の多置換プロテアーゼ変種は、クリーニング組成物で本発明のアミラーゼ変種と併用されたときに、従来の酵素含有クリーニング組成物よりも、・・しみおよび／または汚れ除去および／または減少および／または白さ維持および／または黒ずみ除去および／またはしみ付きおよび／または皮膜除去および／または減少を含めて、改善された高いクリーニング能力を発揮することが、意外にも発見された」（上記摘示（ア−８）参照）という知見に基づき、各新請求項に所定の（Ａ）プロテアーゼ変種、（Ｂ）アミラーゼ変種及び（Ｃ）一種以上のクリーニング補助物質とを含んでなるクリーニング組成物（及びそのクリーニング組成物を使用するクリーニング方法）を構成しているものと認められる。
　
　しかるに、本件補正後の明細書の発明の詳細な説明の記載を検討すると、実施例に係る部分以外の部分（【０００１】〜【０１９６】）では、「多置換プロテアーゼ変種である新規なプロテアーゼ酵素、およびアミラーゼ変種、特にα‐アミラーゼ変種であるアミラーゼ酵素の組合せは、従来の酵素含有クリーニング組成物に対して、および／または本発明のアミラーゼ酵素なしに本発明の新規プロテアーゼ酵素を含有したクリーニング組成物に対して、向上したおよび／または改善された汚れおよび／またはしみ除去効果を発揮することがわかった。」又は「更に、本発明の新規プロテアーゼ酵素と本発明のアミラーゼ酵素との新規組合せを有したクリーニング組成物は、本発明の新規プロテアーゼ酵素または本発明のアミラーゼ酵素の双方ではなく、どちらか一方を含んだクリーニング組成物により得られる相加的クリーニング効果よりも、優れたクリーニング効果を発揮することが、意外にもわかった。」（上記摘示（ア−７）参照）及び「本発明の多置換プロテアーゼ変種は、クリーニング組成物で本発明のアミラーゼ変種と併用されたときに、従来の酵素含有クリーニング組成物よりも、・・しみおよび／または汚れ除去および／または減少および／または白さ維持および／または黒ずみ除去および／またはしみ付きおよび／または皮膜除去および／または減少を含めて、改善された高いクリーニング能力を発揮することが、意外にも発見された」（上記摘示（ア−８）参照）と記載されているのみであり、そのほかに本件補正発明のクリーニング組成物のクリーニング性能を当業者が認識することができる記載はない。
　また、実施例に係る部分（【０１９７】〜【０２３２】）では、「プロテアーゼ１」なるBacillus　amyloliquefaciensズブチリシンの１０１Ｇ／１０３Ａ／１０４Ｉ／１５９Ｄ／２３２Ｖ／２３６Ｈ／２４５Ｒ／２４８Ｄ／２５２Ｋ位に相当する位置で別な天然アミノ酸残基によるアミノ酸残基の置換をうけたプロテアーゼ変種及び「アミラーゼ３」なる「本発明によるアミラーゼ変種」（上記摘示（ア−９）参照）を併用し、クリーニング補助物質の複数種をさらに組み合わせてその組成比などを変化させることにより複数種のクリーニング組成物をそれぞれ構成したことが記載されているのみであり、構成された各クリーニング組成物のクリーニング性能を当業者が認識することができる記載はない。
　さらに、本件補正発明に係るプロテアーゼ変種とアミラーゼ変種とを併用したクリーニング組成物が従来技術以上のクリーニング性能を奏することを当業者において客観的に認識できるような技術常識が存するものとも認められない。
　なお、本件補正後の明細書の発明の詳細な説明にも、「更に、本発明の新規プロテアーゼ酵素と本発明のアミラーゼ酵素との新規組合せを有したクリーニング組成物は、本発明の新規プロテアーゼ酵素または本発明のアミラーゼ酵素の双方ではなく、どちらか一方を含んだクリーニング組成物により得られる相加的クリーニング効果よりも、優れたクリーニング効果を発揮することが、意外にもわかった。」（上記摘示（ア−７）参照）と記載しているとおり、本件補正発明が従来技術のものに比して、優れたクリーニング効果を発揮することは、本願出願の日（優先日）前の技術常識を有する当業者にとって意外なものであると、請求人も自認するところである。
　してみると、クリーニング性能に関する具体的記載がない本件補正後の明細書の発明の詳細な説明の記載に接した他の当業者が、技術常識に照らして、本件補正発明のクリーニング性能につきどの程度のものであるかを認識することができるということはできない。
　したがって、本件補正後の明細書の発明の詳細な説明の記載では、従来技術以上の優れたクリーニング性能を有するクリーニング組成物を提供するという本件補正発明の技術上の意義を、たとえ当業者の技術常識に照らしたとしても、他の当業者において客観的に理解することができるように記載したものということができない。
　
（ウ）小括
　よって、本件補正後の明細書の発明の詳細な説明は、従来技術に対して「改善された高いクリーニング能力を発揮するクリーニング組成物の提供」という技術上の意義を有する本件補正発明につき、当業者がその実施をすることができる程度に明確かつ十分に記載したものということができない。
　
イ．理由２について
　
（ア）前提
　特許法第３６条第６項には、「第二項の特許請求の範囲の記載は、次の各号に適合するものでなければならない。」と規定され、同条同項第１号には、「特許を受けようとする発明が発明の詳細な説明に記載したものであること。」と規定されている。
　そして、特許請求の範囲の記載が、上記「第１号」に係る規定（いわゆる「明細書のサポート要件」）に適合するものであるか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識できるものであるか否か、また、その記載や示唆がなくとも当業者が出願時の技術常識に照らし当該発明の課題を解決できると認識できる範囲のものであるか否かを検討して判断すべきものである（知財高裁特別部判決平成１７年（行ケ）第１００４２号参照。）から、以下当該観点に基づいて検討する。
　
（イ）本件補正発明の解決課題
　本件補正後の明細書の発明の詳細な説明の記載（上記摘示（ア−７）参照）からみて、本件補正発明の解決しようとする課題は、
「改善された汚れおよび／またはしみ除去効果および／または布帛クリーニング効果を有するクリーニング組成物、特に洗濯洗剤組成物および／または皿洗い洗剤組成物を提供すること」
にあるものと認められる。
　
（ウ）検討
　本件補正後の明細書の発明の詳細な説明の記載を検討すると、実施例に係る部分以外の部分（【０００１】〜【０１９６】）では、「多置換プロテアーゼ変種である新規なプロテアーゼ酵素、およびアミラーゼ変種、特にα‐アミラーゼ変種であるアミラーゼ酵素の組合せは、従来の酵素含有クリーニング組成物に対して、および／または本発明のアミラーゼ酵素なしに本発明の新規プロテアーゼ酵素を含有したクリーニング組成物に対して、向上したおよび／または改善された汚れおよび／またはしみ除去効果を発揮することがわかった。」又は「更に、本発明の新規プロテアーゼ酵素と本発明のアミラーゼ酵素との新規組合せを有したクリーニング組成物は、本発明の新規プロテアーゼ酵素または本発明のアミラーゼ酵素の双方ではなく、どちらか一方を含んだクリーニング組成物により得られる相加的クリーニング効果よりも、優れたクリーニング効果を発揮することが、意外にもわかった。」（上記摘示（ア−７）参照）及び「本発明の多置換プロテアーゼ変種は、クリーニング組成物で本発明のアミラーゼ変種と併用されたときに、従来の酵素含有クリーニング組成物よりも、・・しみおよび／または汚れ除去および／または減少および／または白さ維持および／または黒ずみ除去および／またはしみ付きおよび／または皮膜除去および／または減少を含めて、改善された高いクリーニング能力を発揮することが、意外にも発見された」（上記摘示（ア−８）参照）と記載されているのみであり、そのほかに本件補正発明のクリーニング組成物のクリーニング性能を当業者が認識することができる記載はない。
　また、実施例に係る部分（【０１９７】〜【０２３２】）では、「プロテアーゼ１」なるBacillus　amyloliquefaciensズブチリシンの１０１Ｇ／１０３Ａ／１０４Ｉ／１５９Ｄ／２３２Ｖ／２３６Ｈ／２４５Ｒ／２４８Ｄ／２５２Ｋ位に相当する位置で別な天然アミノ酸残基によるアミノ酸残基の置換をうけたプロテアーゼ変種及び「アミラーゼ３」なる「本発明によるアミラーゼ変種」（上記摘示（ア−９）参照）を併用し、クリーニング補助物質の複数種をさらに組み合わせてその組成比などを変化させることにより複数種のクリーニング組成物をそれぞれ構成したことが記載されているのみであり、構成された各クリーニング組成物のクリーニング性能を当業者が認識することができる記載はない。
　さらに、「更に、本発明の新規プロテアーゼ酵素と本発明のアミラーゼ酵素との新規組合せを有したクリーニング組成物は、本発明の新規プロテアーゼ酵素または本発明のアミラーゼ酵素の双方ではなく、どちらか一方を含んだクリーニング組成物により得られる相加的クリーニング効果よりも、優れたクリーニング効果を発揮することが、意外にもわかった。」（上記摘示（ア−７）参照）と記載しているとおり、本件補正発明が従来技術のものに比して、優れたクリーニング効果を発揮することは、本願出願の日（優先日）前の技術常識を有する当業者にとって意外なものであろうから、クリーニング性能に関する具体的記載がない本件補正後の明細書の発明の詳細な説明の記載に接した当業者が技術常識に照らして本件補正発明のクリーニング性能につきどの程度のものであるかを認識することができるということはできない。
　してみると、本件補正後の明細書の発明の詳細な説明の記載では、本件補正発明に係るクリーニング組成物が従来技術以上のクリーニング性能を奏することを、たとえ当業者の技術常識に照らしたとしても、当業者において客観的に認識できるように記載したものということができない。
　したがって、本件補正明細書の発明の詳細な説明の記載に基づき、さらに当業界の技術常識に照らしても、本件補正発明が、上記解決課題に係る「改善された汚れおよび／またはしみ除去効果および／または布帛クリーニング効果を有するクリーニング組成物、特に洗濯洗剤組成物および／または皿洗い洗剤組成物を提供すること」を達成することができると当業者が認識することができるとはいえない。
　
（エ）まとめ
　以上のとおり、本件補正発明は、本件補正後の明細書の発明の詳細な説明の記載により、上記本件補正発明の課題を解決できると当業者が認識できるものであるとはいえず、また、出願時（優先日）の当業界の技術常識に照らしたとしても、上記発明の課題を解決できると当業者が認識できる範囲のものであるということができないから、本件補正発明は、本願明細書の発明の詳細な説明に記載したものとはいえない。
　よって、新請求項１の記載は、特許法第３６条第６項第１号の規定に適合するものではなく、本件補正後の本願は、同法同条同項に規定する要件を満たしていない。
　
ウ．理由３について
　
引用刊行物：
１．特表平９−５０５８４１号公報（原審における引用文献１）
　　（平成９年６月１０日公表（発行））
２．国際公開９７／３２９６１号（原審における引用文献３）
　　（１９９７年９月１２日国際公開）
（以下、それぞれ「引用例１」及び「引用例２」という。）
　
（ア）各引用例の記載事項
　
（ア−１）引用例１について
　上記引用例１には、以下の事項が記載されている。
　
（１ａ）
「１．（ａ）プロテアーゼ酵素であって、Bacillus amyloliquefaciensズブチリシンにおいて＋９９、＋１０１、＋１０３、＋１０４、＋１０７、＋１２３、＋２７、＋１０５、＋１０９、＋１２６、＋１２８、＋１３５、＋１５６、＋１６６、＋１９５、＋１９７、＋２０４、＋２０６、＋２１０、＋２１６、＋２１７、＋２１８、＋２２２、＋２６０、＋２６５および／または＋２７４からなる群より選択された場合に相当する一以上のアミノ酸残基位置と、Bacillus amyloliqueiaciensズブチリシンにおいて＋７６位に相当する前駆カルボニルヒドロラーゼの位置とにおいて、複数のアミノ酸残基について異なるアミノ酸の置換をうけた、天然でみられないアミノ酸配列を有するカルボニルヒドロラーゼ変種であって、前駆カルボニルヒドロラーゼから誘導された、プロテアーゼ酵素の有効量と、
（ｂ）プロテアーゼ酵素と適合する１種以上のクリーニング組成物物質と
を含んでなるクリーニング組成物。
２．クリーニング組成物物質が界面活性剤、溶媒、緩衝剤、酵素、汚れ放出剤、土汚れ除去剤、分散剤、増白剤、起泡抑制剤、布帛柔軟剤、起泡増強剤、酵素安定剤、ビルダー、漂白剤、色素、香料およびそれらの混合物からなる群より選択されるものである、請求項１に記載のクリーニング組成物。
３．クリーニング組成物物質が組成物の少くとも約１重量％の界面活性剤を含み、上記界面活性剤がアルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホネート化脂肪酸エステル、アルキルおよびアルキルフェノールアルコキシレート、ベタインおよびスルホベタイン、アミンオキシド、Ｎ‐メチルグルカミド、ノニオン系一級アルコールエトキシレート、ノニオン系一級アルコール混合エトキシ／プロポキシとそれらの混合物からなる群より選択される物質を含んでなる、請求項１に記載のクリーニング組成物。
４．ゼオライト、ポリカルボキシレート、積層シリケート、ホスフェートおよびそれらの混合物からなる群より選択される少くとも約５％のビルダーを更に含んでなる、請求項３に記載のクリーニング組成物。
５．クリーニング組成物物質が少くとも１種の漂白剤を含んでなる、請求項１に記載のクリーニング組成物。
６．漂白剤がペルカーボネート、ペルボレートおよびそれらの混合物からなる群より選択され、場合により少くとも１種のブリーチ活性剤を更に含んでなる、請求項５に記載のクリーニング組成物。
７．クリーニング組成物物質がセルラーゼ、リパーゼ、アミラーゼ、プロテアーゼ、ペルオキシダーゼおよびそれらの混合物からなる群より選択される少くとも１種の酵素を含んでなる、請求項１に記載のクリーニング組成物。
８．クリーニング組成物物質が少くとも１種の布帛柔軟剤を含んでなる、請求項１に記載のクリーニング組成物。
９．プロテアーゼ酵素用の前駆カルボニルヒドロラーゼがズブチリシンであり、プロテアーゼ酵素がズブチリシン変種であって、置換の組合せが・・76/101、・・76/99/101、・・76/101/103、76/101/104、・・76/99/101/103、76/99/101/104、・・76/101/103/104、・・76/99/101/103/104、・・76/99/101/103/104/123、・・76/101/103/104、・・に相当する位置で行われてなる、請求項１に記載のクリーニング組成物。
１０．プロテアーゼ酵素が・・76/101、・・76/99/101、・・76/101/103、76/101/104、・・76/99/101/103、76/99/101/104、・・76/101/103/104、・・76/99/101/103/104、・・76/99/101/103/104/123、・・からなる群より選択されるズブチリシン変種である、請求項９に記載のクリーニング組成物。
１１．天然でみられないアミノ酸配列を有するカルボニルヒドロラーゼ変種であって、ズブチリシン前駆カルボニルヒドロラーゼから誘導された、有効量のプロテアーゼ酵素（ここで、このプロテアーゼ酵素は・・（中略）・・ズブチリシン変種である）と
（ｂ）組成物の少くとも約５重量％の界面活性剤および少くとも約５％のビルダーを含んだ、プロテアーゼ酵素と適合する１種以上のクリーニング組成物物質
を含んでなる布帛クリーニング組成物。
１２．溶媒、緩衝剤、酵素、汚れ放出剤、土汚れ除去剤、分散剤、増白剤、起泡抑制剤、布帛柔軟剤、起泡増強剤、酵素安定剤、漂白剤、色素、香料およびそれらの混合物からなる群より選択されるクリーニング組成物物質を更に含んでなる、請求項１１に記載の布帛クリーニング組成物。
１３．少くとも１種の漂白剤を更に含んでなる、請求項１１に記載の布帛クリーニング組成物。
１４．セルラーゼ、リパーゼ、アミラーゼ、プロテアーゼ、ペルオキシダーゼおよびそれらの混合物からなる群より選択される少くとも１種の酵素を更に含んでなる、請求項１１に記載の布帛クリーニング組成物。
１５．液体、顆粒または固体の形をとる、請求項１１に記載の布帛クリーニング組成物。
・・（中略）・・
２２．（ａ）天然でみられないアミノ酸配列を有するカルボニルヒドロラーゼ変種であって、ズブチリシン前駆カルボニルヒドロラーゼから誘導された、約０．０００１〜約１０％のプロテアーゼ酵素（ここで、このプロテアーゼ酵素は・・（中略）・・ズブチリシン変種である）
（ｂ）約０．１〜約１０％の界面活性剤、および
（ｃ）場合により、溶媒、緩衝剤、酵素、分散剤、起泡抑制剤、酵素安定剤、漂白剤、色素、香料およびそれらの混合物からなる群より選択される、プロテアーゼ酵素と適合する１種以上のクリーニング組成物物質
を含んでなる皿洗い組成物。」
（第２頁第２行〜第７頁第６行、【特許請求の範囲】第１項〜第２２項）
　
（１ｂ）
「技術分野
　本発明はカルボニルヒドロラーゼ変種である新規プロテアーゼ酵素を含んでなる様々なクリーニング組成物に関する。」
（第１０頁第７行〜第９行）
　
（１ｃ）
「背景
　酵素は最大クラスの天然タンパク質である。各種の酵素は通常異なる種類の化学反応を触媒する（すなわち、消費されずに反応を促進する）。プロテアーゼとして知られる酵素は、他のタンパク質を加水分解する（開裂される化学結合のいずれかの側における水分子のＨおよびＯＨ部分の取込みで化合物を２以上のより簡単な化合物に分解する）ものとして知られている。タンパク質を加水分解するこの能力は、天然タンパク質工学処理プロテアーゼを洗濯洗剤製品への添加剤として配合することにより利用されてきた。衣類上の多くの汚れはタンパク質性であり、広い特異性を有するプロテアーゼはこのような汚れの除去性を実質的に改善するものである。
　残念ながら、これらタンパク質の天然細菌環境下における効力レベルは比較的に非天然の洗浄環境中にしばしば移行されていない。特に、熱安定性、ｐＨ安定性、酸化安定性および基質特異性のようなプロテアーゼの特徴は、酵素の天然環境外での利用のためには必ずしも最適化されていない。
　プロテアーゼ酵素のアミノ酸配列がプロテアーゼの特徴を決定している。プロテアーゼのアミノ酸配列の変化は、酵素の性質を様々な程度に変えたり、あるいはアミノ酸配列における変化の位置、性質および／または大きさに応じて酵素を不活化させることさえある。洗浄環境下のようなクリーニング用途でプロテアーゼの効力を増加させることを目標として、それらの性質を改善する試みに際し、プロテアーゼのアミノ酸配列を変えるいくつかの試みが行われてきた。これらの試みには、全く多様な条件下で熱安定性を高めて酸化安定性を改善するために、アミノ酸配列を変えることも含まれる。
　当業界で記載された様々な試みにもかかわらず、様々な表面をクリーニングする上で有用なプロテアーゼの新たに有効な変種に関する必要性が依然として存在している。したがって、改善されたタンパク質分解活性、基質特異性、安定性および／または高性能特徴を有したカルボニルヒドロラーゼ変種であるプロテアーゼ酵素を含有するクリーニング組成物を提供することが本発明の目的である。これらのおよび他の目的は、以下の詳細な記載から容易に明らかとなるであろう。」
（第１０頁第１０行〜第１１頁第９行）
　
（１ｄ）
「発明の要旨
　本発明は
（ａ）有効量のプロテアーゼ酵素（ここで、このプロテアーゼ酵素は、天然でみられないアミノ酸配列を有するカルボニルヒドロラーゼ変種であり、異なるアミノ酸により前駆カルボニルヒドロラーゼの複数アミノ酸残基を置換して誘導されたものであり、前駆酵素で置換された上記複数のアミノ酸残基は＋７６位と、以下の残基：＋９９、＋１０１、＋１０３、＋１０４、＋１０７、＋１２３、＋２７、＋１０５、＋１０９、＋１２６、＋１２８、＋１３５、＋１５６、＋１６６、＋１９５、＋１９７、＋２０４、＋２０６、＋２１０、＋２１６、＋２１７、＋２１８、＋２２２、＋２６０、＋２６５および／または＋２７４のうち１以上とに相当し、その番号位置はBacillus amyloliquefaciensの天然ズブチリシンあるいは他のカルボニルヒドロラーゼまたはズブチリシン（例えば、Bacillus lentus ズブチリシン）の相当アミノ酸残基に対応する）、および
（ｂ）プロテアーゼ酵素と適合する１種以上のクリーニング組成物物質
を含んでなるクリーニング組成物に関する。
　本発明は、本明細書に記載されたカルボニルヒドロラーゼ変種であるプロテアーゼ酵素と物品を接触させることからなる、クリーニングの必要な物品のクリーニング方法にも関する。したがって、本発明には、好ましくは撹拌下で上記布帛を上記プロテアーゼ酵素含有水性液と接触させることからなる、布帛クリーニング方法も含んでなる。その方法は約６０℃以下の温度で行えるが、もちろん沸騰までの洗濯温度でればかなり有効である。本発明は、クリーニングの必要な皿を本明細書に記載されたようなプロテアーゼ酵素と接触させることからなる、皿のクリーニング方法にも関する。本発明の方法には身体の洗浄方法も含まれ、その方法はクリーニングの必要なヒトまたはそれより下等の動物身体の部分を本明細書に記載されたようなプロテアーゼ酵素と接触させることからなる。」
（第１１頁第１０行〜第１２頁第６行）
　
（１ｅ）
「好ましくは、特定アミノ酸残基位置の各々で行われる置換には、・・（中略）・・１０１位におけるＧ、Ｄ、Ｋ、Ｌ、Ａ、Ｅ、ＳおよびＲを含めた置換・・があるが、これらに制限されない。このような各位置で置換される特に好ましいアミノ酸は下記表Ｉで表示されている。特定のアミノ酸が表Ｉで示されているが、いかなるアミノ酸も特定残基で置き換わっていてよいことが理解されるべきである。」
（第１５頁第２１行〜第１６頁最下行）
　
（１ｆ）
「２．クリーニング組成物物質：
　本発明のクリーニング組成物は、前記プロテアーゼ酵素に加えて、プロテアーゼ酵素と適合する１種以上のクリーニング組成物物質も含んでいる。ここで用いられる“クリーニング組成物物質”という用語は、望まれるクリーニング組成物の具体的タイプおよび製品の形（例えば、液体、顆粒、スプレー組成物）について選択されるあらゆる液体、固体または気体物質を意味し、しかもその物質は組成物で用いられるプロテアーゼ酵素と適合している。クリーニング組成物物質の具体的選択は、クリーニングされる表面、物品または布帛と使用中（例えば、洗浄洗剤使用中）のクリーニング条件にとり組成物の望ましい形について考慮することにより容易に行われる。ここで用いられる“適合する”という用語は、プロテアーゼが通常の使用状況中に望んでいるほど有効でなくなる程度までにはクリーニング組成物物質がプロテアーゼ酵素のタンパク質分解活性を減少させないことを意味する。具体的なクリーニング組成物物質は以下で詳細に例示されている。
　１種以上の前記プロテアーゼ酵素の有効量がタンパク質汚れ除去の必要な様々な表面をクリーニングする上で有用な組成物中に含有される。このようなクリーニング組成物には、形態上制限されない（例えば、液体及び顆粒）、硬質表面をクリーニングするための洗剤組成物；形態上制限されない（例えば、顆粒、液体及び固形処方）、布帛をクリーニングするための洗剤組成物；皿洗い組成物（形態上制限されない）・・（中略）・・がある。ここで記載される“プロテアーゼ酵素の有効量”とは、特定のクリーニング組成物で必要な酵素活性を出すために必要な前記プロテアーゼ酵素の量に関する。このような有効量は当業者により容易に確認でき、用いられる具体的酵素変種、クリーニング適用例、クリーニング組成物の具体的組成と、液体または乾燥（例えば、顆粒、固形）組成物が必要かどうかなどのような多くのファクターに基づいている。
　好ましくは、本発明のクリーニング組成物は約０．０００１〜約１０％、更に好ましくは約０．００１〜約１％、更に一層好ましくは約０．００１〜約０．１％の１種以上のプロテアーゼ酵素を含んでいる。プロテアーゼ酵素が用いられた様々なクリーニング組成物のいくつかの例が、以下で更に詳細に記載されている。ここで用いられるすべての部、パーセンテージ及び比率は、他で指摘されないかぎり重量による。」
（第４５頁第２３行〜第４６頁第２４行）
　
（１ｇ）
「同様に、処方者はこのような組成物中にセルラーゼ、リパーゼ、アミラーゼ、ペルオキシダーゼおよびプロテアーゼのような様々な追加酵素を、典型的には約０．００１〜約１重量％のレベルで用いようとするであろう。様々な洗浄および布帛ケア酵素が洗濯洗剤業界で周知である。
　ペルカーボネート、ペルボレートなどのような様々な漂白化合物が、典型的には約１〜約１５重量％のレベルでこのような組成物中で使用できる。所望であれば、このような組成物はテトラアセチルエチレンジアミン、ノナノイルオキシベンゼンスルホネートなどのようなブリーチ活性剤も含有することができ、これらも当業界で知られている。使用量レベルは、典型的には約１〜約１０重量％の範囲である。」
（第４９頁第１６行〜第２５行）
　
（１ｈ）
「　　　例２８および２９
　　顆粒布帛クリーニング組成物
　
　　　　　　　　　　　　　　　　　　　　　」
（第５７頁下から第２行〜第５８頁下から第３行）
　
（ア−２）引用例２について
　上記引用例２には、以下の事項が記載されている。
　なお、記載事項の摘示にあたり、引用例２の国際出願につき本邦に提出された翻訳文が記載された特表２０００−５０５５０２号公報の記載及び記載箇所により、摘示を行う。
（審決注：「（Ｒ）」は登録商標を表す丸Ｒ印を意味する。）
　
（２ａ）
「１．（ａ）Phadebas（Ｒ）α‐アミラーゼ活性分析法によって測定した、２５℃〜５５℃の温度範囲および８〜１０の範囲のｐＨ値におけるTermamyl（Ｒ）の特異活性より少なくとも２５％高い特異活性を有することを特徴とするα−アミラーゼ、
および／または
（ｂ）ＳＥＱ　ＩＤ　ＮＯ．１に示されるアミノ酸配列を含んでなる（ａ）に記載のα−アミラーゼ、またはＳＥＱ　ＩＤ　ＮＯ．１に示されるアミノ酸配列と少なくとも８０％の相同性を有するα−アミラーゼ、および／または
（ｃ）ＳＥＱ　ＩＤ　ＮＯ．２に示されるアミノ酸配列を含んでなる（ａ）に記載のα−アミラーゼ、またはＳＥＱ　ＩＤ　ＮＯ．２に示されるアミノ酸配列と少なくとも８０％の相同性を有するα−アミラーゼ、および／または
（ｄ）Ｎ−末端に下記のアミノ酸配列：Ｈｉｓ−Ｈｉｓ−Ａｓｎ−Ｇｌｙ−Ｔｈｒ−Ａｓｎ−Ｇｌｙ−Ｔｈｒ−Ｍｅｔ−Ｍｅｔ−Ｇｌｎ−Ｔｙｒ−Ｐｈｅ−Ｇｌｕ−Ｔｒｐ−Ｔｙｒ−Ｌｅｕ−Ｐｒｏ−Ａｓｎ−Ａｓｐ（ＳＥＱ　ＩＤ　ＮＯ．３）を含んでなる（ａ）に記載のα−アミラーゼ、またはＮ−末端に示されるアミノ酸配列（ＳＥＱ　ＩＤ　ＮＯ．３）と少なくとも８０％の相同性を有するα−アミラーゼ、および／または
（ｅ）α−アミラーゼが親アルカリ性Bacillus種から得ることが可能である（ａ−ｄ）に記載のα−アミラーゼ、および／または
（ｆ）アミラーゼが、菌株ＮＣＩＢ　１２２８９、ＮＣＩＢ　１２５１２、ＮＣＩＢ　１２５１３およびＤＳＭ　９３５のいずれかから得ることが可能である（ｅ）に記載のα−アミラーゼ、および／または
（ｇ）それぞれＳＥＱ　ＩＤ　ＮＯ．１、ＳＥＱ　ＩＤ　ＮＯ．２、またはＳＥＱ　ＩＤ　ＮＯ．３に相当するアミノ酸配列を有するα−アミラーゼに対して生じた抗体と正の免疫学的交差反応性を示すα−アミラーゼ、および／または
（ｈ）親α−アミラーゼの変異体であって、（ｉ）それぞれＳＥＱ　ＩＤ　ＮＯ．１、ＳＥＱ　ＩＤ　ＮＯ．２、またはＳＥＱ　ＩＤ　ＮＯ．４に示されるアミノ酸配列の一つを有する、または（ｉｉ）前記アミノ酸配列の１個以上と少なくとも８０％の相同性を示し、および／または前記アミノ酸配列の一つを有するα−アミラーゼに対して生じた抗体と免疫学的交差反応性を示し、および／または前記アミノ酸配列の一つを有するα−アミラーゼをコードするＤＮＡ配列と同一プローブとハイブリッドするＤＮＡ配列によってコードされるものであり、
（ｉ）前記親α−アミラーゼの少なくとも１個のアミノ酸残基が欠失している、および／または
（ｉｉ）前記親α−アミラーゼの少なくとも１個のアミノ酸残基が、異なるアミノ酸残基によって置換されている、および／または
（ｉｉｉ）少なくとも１個のアミノ酸残基が、前記親α−アミラーゼに対して挿入されている
変異体であり、
　前記変異体は、α−アミラーゼ活性を有し、前記親α−アミラーゼに対して下記、すなわち熱安定性の増加、耐酸化安定性の増加、Ｃａイオン依存性の減少、中性〜比較的高ｐＨ値での安定性および／またはα−アミロース分解活性の増加、比較的高温でのα−アミロース分解活性の増加、およびα−アミラーゼ変異体に対する等電点（ｐＩ）値を培地のｐＨに一層良好に調和させるようにするためのｐＩの増減の特性の少なくとも１つを示す、
純粋な酵素を総組成物の０．０００１８重量％〜０．０６重量％含んでなる洗剤組成物。
２．前記α−アミラーゼが、純粋な酵素を総組成物の０．０００２４重量％〜０．０４８重量％含んでなる、請求項１に記載の洗剤組成物。
３．プロテアーゼをも含んでなる、請求項１または２に記載の洗剤組成物。
・・（中略）・・
８．ビルダー成分をも含んでなる、請求項１〜８のいずれか１項に記載の洗剤組成物。
９．前記ビルダー成分がメタケイ酸塩である、請求項８に記載の洗剤組成物。
１０．塩素スキャベンジャーをも含んでなる、請求項１〜９のいずれか１項に記載の洗剤組成物。
１１．漂白剤系をも含んでなる、請求項１〜１０のいずれか１項に記載の洗剤組成物。
１２．アニオン性、ノニオン性、カチオン性、両性、および双性イオン性界面活性剤、好ましくはカチオン性界面活性剤をも含んでなる、請求項１〜１１のいずれか１項に記載の洗剤組成物。
１３．起泡抑制剤、汚れ懸濁剤、および再付着防止剤、スメクタイト粘土などをも含んでなる、請求項１〜１２のいずれか１項に記載の洗剤組成物。
１４．無機充填剤塩を１５重量％以下含む顆粒状洗剤組成物である、請求項１〜１３のいずれか１項に記載の洗剤組成物。
１５．組成物が重質液状組成物である、請求項１〜８のいずれか１項に記載の洗剤組成物。
１６．クリーニング性能および／または布地管理効果を提供する他の酵素をも含んでなる、請求項１〜１５のいずれか１項に記載の洗剤組成物。
１７．洗剤添加物の形態である、請求項１に記載の洗剤組成物。
１８．１０℃〜２５℃の温度で、硬質表面クリーニングおよび／または手および機械による食器洗浄および／または洗濯のための、請求項１〜１７のいずれか１項に記載の洗剤組成物の使用。」
（第２頁第２行〜第４頁最下行、【特許請求の範囲】）
　
（２ｂ）
「技術分野
　本発明は、硬質表面クリーニング、食器洗浄および洗濯におけるクリーニングおよび汚れ除去性能を向上する特異的アミラーゼ酵素を所定濃度含んでなる洗剤組成物に関する。」
（第５頁第３行〜第６行）
　
（２ｃ）
「発明の背景
　多年に亙り、アミラーゼ酵素が多種多様の様々な目的のために用いられており、その最も重要なものは、澱粉液化、織物の糊抜き、紙およびパルプ工業における澱粉改質に、および醸造およびベイキングに用いられてきた。重要性を増しつつあるアミラーゼの他の使用は、布地、硬質表面および食器の洗浄中に澱粉含有汚れおよび染みの除去である。
　実際に、アミラーゼ酵素は、食器洗浄、硬質表面クリーニング、および洗濯組成物において、食器類、平皿類、ガラス器、および硬質表面から澱粉質の食物滓または澱粉質のフィルムを除去し、または澱粉質汚れ並びに洗濯用途で典型的に見られる他の汚れに対するクリーニング性能を提供することが、長く認められてきた。」
（第５頁第７行〜第１７行）
　
（２ｄ）
「本発明の目的は、総組成物の重量に対し純粋な酵素で表わして、特異的アミラーゼ酵素を所定濃度含む洗剤組成物を提供することによって、最適化された洗浄力性能を提供することである。
　予想外のことには、このような特異的アミラーゼ酵素は、酵素の濃度が、純粋な酵素を総組成物の０．０００１８重量％〜０．０６０重量％、更に好ましくは純粋な酵素を０．０００２４重量％〜０．０４８重量％の範囲であるとき、洗剤組成物への適用が最適になることを見出した。
　本発明のもう一つの目的は、前記濃度の特異的アミラーゼ酵素をプロテアーゼ、補足的アミラーゼ、カチオン性界面活性剤、漂白剤系、ビルダー、塩素スキャベンジャー、分散剤および／またはそれらの混合物から選択される洗剤成分と共に含む洗剤組成物を提供することである。」
（第６頁第１８行〜第７頁第１行）
　
（２ｅ）
「（ｅ）α−アミラーゼが親アルカリ性Bacillus種から得ることが可能であり、特に菌株ＮＣＩＢ　１２２８９、ＮＣＩＢ　１２５１２、ＮＣＩＢ　１２５１３およびＤＳＭ　９３５のいずれかから得ることが可能である（ａ−ｄ）に記載のα−アミラーゼ。
　本発明に関して、「から得ることが可能である」とは、Bacillus菌株によって産生されるアミラーゼを示すだけでなく、このようなBacillus菌株から単離されたＤＮＡ配列によってコードされ、このＤＮＡ配列で形質転換した宿主生物で産生されるアミラーゼをも示すことを意図する。」
（第８頁第７行〜第１３行）
　
（２ｆ）
「本発明による特異的アミラーゼ酵素とプロテアーゼとの組み合わせにより、相対的なクリーニングおよび汚れ除去性能が向上することを見出だした。
・・（中略）・・
　「Ｐｒｏｔｅａｓｅ　Ｄ」と呼ばれる好ましいプロテアーゼは、天然には見られないアミノ酸配列を有し、前駆体カルボニルヒドロラーゼの＋７６位に相当する位置で複数のアミノ酸残基の代わりに異なるアミノ酸を、好ましくはＷＯ９５／１０５９１号公報および１９９４年１０月１３日出願の米国特許出願連続番号第０８／３２２，６７７号を有するC．Ghosh et al.の特許出願明細書「プロテアーゼ酵素を含んでなる漂白組成物」に記載のBaci1lus amyloliquefaciensズブチリシンの番号に準じて＋９９、＋１０１、＋１０３、＋１０４、＋１０７、＋１２３、＋２７、＋１０５、＋１０９、＋１２６、＋１２６、＋１２８、＋１３５、＋１５６、＋１６６、＋１９５、＋１９７、＋２０４、＋２０６、＋２１０、＋２１６、＋２１７、＋２１８、＋２２２、＋２６０、＋２６５、および／または＋２７４からなる群から選択されるものに等しい１個以上のアミノ酸残基位置と組み合わせて置換することによって、このカルボニルヒドロラーゼから誘導されるカルボニルヒドロラーゼ変異体である。」
（第２６頁第２３行〜第２８頁第５行）
　
（イ）理由３についての当審の判断
　
（イ−１）引用例１に記載された発明
　上記引用例１には、「（ａ）プロテアーゼ酵素であって、Bacillus amyloliquefaciensズブチリシンにおいて＋９９、＋１０１、＋１０３、＋１０４、＋１０７、＋１２３、＋２７、＋１０５、＋１０９、＋１２６、＋１２８、＋１３５、＋１５６、＋１６６、＋１９５、＋１９７、＋２０４、＋２０６、＋２１０、＋２１６、＋２１７、＋２１８、＋２２２、＋２６０、＋２６５および／または＋２７４からなる群より選択された場合に相当する一以上のアミノ酸残基位置と、Bacillus amyloliqueiaciensズブチリシンにおいて＋７６位に相当する前駆カルボニルヒドロラーゼの位置とにおいて、複数のアミノ酸残基について異なるアミノ酸の置換をうけた、天然でみられないアミノ酸配列を有するカルボニルヒドロラーゼ変種であって、前駆カルボニルヒドロラーゼから誘導された、プロテアーゼ酵素の有効量と、（ｂ）プロテアーゼ酵素と適合する１種以上のクリーニング組成物物質とを含んでなるクリーニング組成物」が記載されており（上記摘示（１ａ）の請求項１参照）、当該組成物が布帛又は硬質表面のクリーニング及び皿洗いに使用できることも記載されている（上記摘示（１ａ）の請求項１１ないし２２及び摘示（１ｆ）参照）。
　また、上記引用例１には、上記「プロテアーゼ酵素」につきBacillus amyloliquefaciensズブチリシンにおける＋１０１のアミノ酸残基位置が置換されたものを使用することが記載されており（上記摘示（１ａ）の請求項９及び１０参照）、当該置換が「Ｇ」（すなわちグリシン）により行われたものを使用できることも記載されている（上記摘示（１ｅ）参照）。
　さらに、上記引用例１には、上記クリーニング組成物物質として、「界面活性剤、溶媒、緩衝剤、酵素、汚れ放出剤、土汚れ除去剤、分散剤、増白剤、起泡抑制剤、布帛柔軟剤、起泡増強剤、酵素安定剤、ビルダー、漂白剤、色素、香料およびそれらの混合物からなる群より選択されるもの」を使用することが記載されている（上記摘示（１ａ）の請求項２参照）。
　そして、上記「界面活性剤」として「アルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホネート化脂肪酸エステル、アルキルおよびアルキルフェノールアルコキシレート、ベタインおよびスルホベタイン、アミンオキシド、Ｎ‐メチルグルカミド、ノニオン系一級アルコールエトキシレート、ノニオン系一級アルコール混合エトキシ／プロポキシとそれらの混合物からなる群より選択される物質」（上記摘示（１ａ）の請求項３参照）、「酵素」として「セルラーゼ、リパーゼ、アミラーゼ、プロテアーゼ、ペルオキシダーゼおよびそれらの混合物からなる群より選択される」もの（上記摘示（１ａ）の請求項１４及び摘示（１ｇ）参照）、「ビルダー」として「ゼオライト、ポリカルボキシレート、積層シリケート、ホスフェートおよびそれらの混合物からなる群より選択される」もの（上記摘示（１ａ）の請求項４参照）及び「漂白剤」として「ペルカーボネート、ペルボレートおよびそれらの混合物からなる群より選択され」るもの（上記摘示（１ａ）の請求項６参照）がそれぞれ使用されること並びに漂白剤を使用する際にさらに使用される「ブリーチ活性剤」として「テトラアセチルエチレンジアミン、ノナノイルオキシベンゼンスルホネートなど」が使用できること（上記摘示（１ａ）の請求項６及び摘示（１ｇ）参照）も記載されている。
　またさらに、上記引用例１には、各酵素の使用量につき、上記「プロテアーゼ酵素の有効量」がクリーニング組成物の「約０．０００１〜約１０（重量）％」であること（上記摘示（１ｆ）参照）及び併用する「追加酵素」の使用量が「典型的には約０．００１〜約１重量％のレベル」であること（上記摘示（１ｇ）参照）がそれぞれ記載されており、プロテアーゼ酵素０．３重量％、アミラーゼ０．３重量％及びリパーゼ０．３６又は０．４０重量％を併用した顆粒布帛クリーニング組成物の具体例についても記載されている（上記摘示（１ｈ）参照）。
　してみると、上記引用例１には、上記（１ａ）〜（１ｈ）の記載事項からみて、本件補正発明に倣い表現すると、
「布帛および／または皿洗いおよび／または硬質表面クリーニング組成物であって、
（Ａ）０．０００１〜１０重量％のプロテアーゼ酵素と、
（Ｂ）０．００１〜１重量％レベルのアミラーゼなどの補助酵素と、
（Ｃ）一種以上のクリーニング組成物物質とを含んでなるものであり、
前記（Ａ）プロテアーゼ酵素が、Bacillus　amyloliquefaciensズブチリシンの１０１位に相当するアミノ酸残基位置で、グリシン残基によるアミノ酸残基の置換を有するものであり、
　前記（Ｃ）クリーニング組成物物質が、界面活性剤、溶媒、緩衝剤、酵素、汚れ放出剤、土汚れ除去剤、分散剤、増白剤、起泡抑制剤、布帛柔軟剤、起泡増強剤、酵素安定剤、ビルダー、漂白剤、色素、香料およびそれらの混合物からなる群より選択されるものであり、
　前記界面活性剤が、アルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホネート化脂肪酸エステル、アルキルおよびアルキルフェノールアルコキシレート、ベタインおよびスルホベタイン、アミンオキシド、Ｎ‐メチルグルカミド、ノニオン系一級アルコールエトキシレート、ノニオン系一級アルコール混合エトキシ／プロポキシとそれらの混合物からなる群より選択される物質であり、
　前記酵素が、セルラーゼ、リパーゼ、アミラーゼ、プロテアーゼ、ペルオキシダーゼおよびそれらの混合物からなる群より選択される少なくとも一種であり、
　前記ビルダーが、ゼオライト、ポリカルボキシレート、積層シリケート、ホスフェートおよびそれらの混合物からなる群より選択されるものであり、
　前記漂白剤が、ペルカーボネート、ペルボレートおよびそれらの混合物からなる群より選択される少なくとも一種であり、
　前記漂白剤を使用する際にさらに使用されるブリーチ活性剤がテトラアセチルエチレンジアミン、ノナノイルオキシベンゼンスルホネートなどからなる群より選択される少なくとも一種である、クリーニング組成物。」
に係る発明（以下「引用発明」という。）が記載されている。
　
（イ−２）本件補正発明との対比・検討
　
（ａ）対比
　本件補正発明と引用発明とを対比すると、引用発明における「布帛および／または皿洗いおよび／または硬質表面クリーニング組成物であって・・クリーニング組成物。」は、本件補正発明における「布帛および／または皿洗いおよび／または硬質表面クリーニング組成物であって、・・クリーニング組成物。」に相当し、また、引用発明における「０．０００１〜１０重量％のプロテアーゼ酵素」、「アミラーゼなどの補助酵素」及び「クリーニング組成物物質」は、本件補正発明における「（Ａ）０．０００１〜１０重量％のプロテアーゼ（変種）」、「（Ｂ）・・アミラーゼ」及び「（Ｃ）一種以上のクリーニング補助物質」に相当することが明らかである。
　さらに、引用発明における「（Ａ）プロテアーゼ酵素が、Bacillus　amyloliquefaciensズブチリシンの１０１位に相当するアミノ酸残基位置で、グリシン残基によるアミノ酸残基の置換を有するもの」は、Bacillus　amyloliquefaciensズブチリシンの１０１位がグリシン（Ｇ）で置換されているのであるから、本件補正発明における「（Ａ）プロテアーゼ変種が、Bacillus　amyloliquefaciensズブチリシンの１０１Ｇ・・位に相当する・・アミノ酸残基位置で、他の天然アミノ酸残基によるアミノ酸残基の置換を有するもの」に相当する。
　そして、引用発明における「（Ｃ）クリーニング組成物物質が、界面活性剤、溶媒、緩衝剤、酵素、汚れ放出剤、土汚れ除去剤、分散剤、増白剤、起泡抑制剤、布帛柔軟剤、起泡増強剤、酵素安定剤、ビルダー、漂白剤、色素、香料およびそれらの混合物からなる群より選択されるものであり」は、本件補正発明における「（Ｃ）クリーニング補助物質が、界面活性剤、溶媒、緩衝剤、酵素、汚れ放出剤、土汚れ除去剤、分散剤、増白剤、漂白剤、起泡抑制剤、布帛柔軟剤、泡増強剤、酵素安定剤、ビルダー、色素、香料・・およびそれらの混合物からなる群より選択されてなるものであり」に相当し、引用発明における「ブリーチ活性剤」は、本件補正発明における「ブリーチアクチベーター」に相当する。
　またさらに、引用発明における
「前記界面活性剤が、アルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホネート化脂肪酸エステル、アルキルおよびアルキルフェノールアルコキシレート、ベタインおよびスルホベタイン、アミンオキシド、Ｎ‐メチルグルカミド、ノニオン系一級アルコールエトキシレート、ノニオン系一級アルコール混合エトキシ／プロポキシとそれらの混合物からなる群より選択される物質であり」、
「前記酵素が、セルラーゼ、リパーゼ、アミラーゼ、プロテアーゼ、ペルオキシダーゼおよびそれらの混合物からなる群より選択される少なくとも一種であり」、
「前記ビルダーが、ゼオライト、ポリカルボキシレート、積層シリケート、ホスフェートおよびそれらの混合物からなる群より選択されるものであり」及び
「前記漂白剤が、ペルカーボネート、ペルボレートおよびそれらの混合物からなる群より選択される少なくとも一種であり」
は、それぞれ本件補正発明における
「前記界面活性剤が、アルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホン化脂肪酸エステル、アルキルおよびアルキルフェノールアルコキシレート、ベタインおよびスルホベタイン、アミンオキシド、Ｎ‐メチルグルカミド、ノニオン性一級アルコールエトキシレート、ノニオン性一級アルコール混合エトキシ／プロポキシおよびそれらの混合物からなる群より選択されるものであり」、
「前記酵素が、洗浄酵素であり、セルラーゼ、リパーゼ、・・プロテアーゼ、ペルオキシダーゼおよびそれらの混合物からなる群より選択される少なくとも一種であり」、
「前記ビルダーが、ゼオライト、ポリカルボキシレート、積層シリケート、ホスフェートおよびそれらの混合物からなる群より選択されてなるものであり」及び
「前記漂白剤が、ペルカーボネート、ペルボレートおよびそれらの混合物からなる群より選択される少なくとも一種であり」
に相当する。
　なお、引用発明における「ブリーチ活性剤がテトラアセチルエチレンジアミン、ノナノイルオキシベンゼンスルホネートなどからなる群より選択される少なくとも一種である」は、本件補正発明における「ブリーチアクチベーターが、・・ノナノイルオキシベンゼンスルホネート（ＮＯＢＳ）・・である」に相当することも明らかである。
　したがって、本件補正発明と引用発明とは、
「布帛および／または皿洗いおよび／または硬質表面クリーニング組成物であって、
（Ａ）０．０００１〜１０重量％のプロテアーゼ変種と、
（Ｂ）アミラーゼと、
（Ｃ）一種以上のクリーニング補助物質とを含んでなるものであり、
前記（Ａ）プロテアーゼ変種が、Bacillus　amyloliquefaciensズブチリシンの１０１Ｇ位に相当するアミノ酸残基位置で、他の天然アミノ酸残基によるアミノ酸残基の置換を有するものであり、
前記（Ｃ）クリーニング補助物質が、界面活性剤、溶媒、緩衝剤、酵素、汚れ放出剤、土汚れ除去剤、分散剤、増白剤、漂白剤、起泡抑制剤、布帛柔軟剤、泡増強剤、酵素安定剤、ビルダー、色素、香料およびそれらの混合物からなる群より選択されてなるものであり、
　前記界面活性剤が、アルキルベンゼンスルホネート、一級アルキルサルフェート、二級アルキルサルフェート、アルキルアルコキシサルフェート、アルキルアルコキシカルボキシレート、アルキルポリグリコシドおよびそれらの対応サルフェート化ポリグリコシド、α‐スルホン化脂肪酸エステル、アルキルおよびアルキルフェノールアルコキシレート、ベタインおよびスルホベタイン、アミンオキシド、Ｎ‐メチルグルカミド、ノニオン性一級アルコールエトキシレート、ノニオン性一級アルコール混合エトキシ／プロポキシおよびそれらの混合物からなる群より選択されるものであり、
　前記酵素が、洗浄酵素であり、セルラーゼ、リパーゼ、プロテアーゼ、ペルオキシダーゼおよびそれらの混合物からなる群より選択される少なくとも一種であり、
　前記ビルダーが、ゼオライト、ポリカルボキシレート、積層シリケート、ホスフェートおよびそれらの混合物からなる群より選択されてなるものであり、
　前記漂白剤が、ペルカーボネート、ペルボレートおよびそれらの混合物からなる群より選択される少なくとも一種であり、
　前記漂白剤を使用する際にさらに使用されるブリーチアクチベーターが、ノナノイルオキシベンゼンスルホネート（ＮＯＢＳ）である、クリーニング組成物。」
の点で一致し、下記の２点でのみ相違するものと認められる。
　
＜相違点１＞：「アミラーゼ」につき、本件補正発明では、
「前記（Ｂ）アミラーゼ変種が、好アルカリ性Ｂａｃｉｌｌｕｓ種から得られてなるものであり、
かつ、
（ｉ）２５〜５５℃の温度範囲および８〜１０範囲のｐＨ値で、Phadebasα‐アミラーゼ活性アッセイで測定すると、Termamylの比活性より少くとも２５％高い比活性を有することで特徴づけられるα‐アミラーゼ、
（ｉｉ）ＳＥＱ　ＩＤ　Ｎｏ．１で示されたアミノ酸配列を含んだ（ｉ）によるα‐アミラーゼ、またはＳＥＱ　ＩＤ　Ｎｏ．１で示されたアミノ酸配列と少なくとも８０％相同的なα‐アミラーゼ、
（ｉｉｉ）ＳＥＱ　ＩＤ　Ｎｏ．２で示されたアミノ酸配列を含んだ（ｉ）によるα‐アミラーゼ、またはＳＥＱ　ＩＤ　Ｎｏ．２で示されたアミノ酸配列と少なくとも８０％相同的なα‐アミラーゼ、
（ｉｖ）下記アミノ酸配列のＮ末端：Ｈｉｓ‐Ｈｉｓ‐Ａｓｎ‐Ｇｌｙ‐Ｔｈｒ‐Ａｓｎ‐Ｇｌｙ‐Ｔｈｒ‐Ｍｅｔ‐Ｍｅｔ‐Ｇｌｎ‐Ｔｙｒ‐Ｐｈｅ‐Ｇｌｕ‐Ｔｒｐ‐Ｔｙｒ‐Ｌｅｕ‐Ｐｒｏ‐Ａｓｎ‐Ａｓｐ（ＳＥＱ　ＩＤ　Ｎｏ．３）を含んだ（ｉ）によるα‐アミラーゼ、またはＮ末端において（ＳＥＱ　ＩＤ　Ｎｏ．３）で示されたアミノ酸配列と少なくとも８０％相同的なα‐アミラーゼ、又は
（ｖｉ）株ＮＣＩＢ１２２８９、ＮＣＩＢ１２５１２、ＮＣＩＢ１２５１３およびＤＳＭ９３５の何れかから得られるα‐アミラーゼ」であるのに対して、引用発明では「アミラーゼ」である点
＜相違点２＞：「アミラーゼ」の使用量につき、本件補正発明では、「０．０００１〜０．１重量％」であるのに対し、引用発明では「０．００１〜１重量％レベル」であり、具体的に０．１重量％以下で使用することが特定されていない点
　
（ｂ）相違点に係る検討
　上記相違点１及び２につき併せて検討する。
　上記引用例２にも記載されているとおり、
「（ａ）Phadebas（Ｒ）α‐アミラーゼ活性分析法によって測定した、２５℃〜５５℃の温度範囲および８〜１０の範囲のｐＨ値におけるTermamyl（Ｒ）の特異活性より少なくとも２５％高い特異活性を有することを特徴とするα−アミラーゼ、および／または
（ｂ）ＳＥＱ　ＩＤ　ＮＯ．１に示されるアミノ酸配列を含んでなる（ａ）に記載のα−アミラーゼ、またはＳＥＱ　ＩＤ　ＮＯ．１に示されるアミノ酸配列と少なくとも８０％の相同性を有するα−アミラーゼ、および／または
（ｃ）ＳＥＱ　ＩＤ　ＮＯ．２に示されるアミノ酸配列を含んでなる（ａ）に記載のα−アミラーゼ、またはＳＥＱ　ＩＤ　ＮＯ．２に示されるアミノ酸配列と少なくとも８０％の相同性を有するα−アミラーゼ、および／または
（ｄ）Ｎ−末端に下記のアミノ酸配列：Ｈｉｓ−Ｈｉｓ−Ａｓｎ−Ｇｌｙ−Ｔｈｒ−Ａｓｎ−Ｇｌｙ−Ｔｈｒ−Ｍｅｔ−Ｍｅｔ−Ｇｌｎ−Ｔｙｒ−Ｐｈｅ−Ｇｌｕ−Ｔｒｐ−Ｔｙｒ−Ｌｅｕ−Ｐｒｏ−Ａｓｎ−Ａｓｐ（ＳＥＱ　ＩＤ　ＮＯ．３）を含んでなる（ａ）に記載のα−アミラーゼ、またはＮ−末端に示されるアミノ酸配列（ＳＥＱ　ＩＤ　ＮＯ．３）と少なくとも８０％の相同性を有するα−アミラーゼ、および／または
（ｅ）α−アミラーゼが親アルカリ性Bacillus種から得ることが可能である（ａ−ｄ）に記載のα−アミラーゼ、および／または
（ｆ）アミラーゼが、菌株ＮＣＩＢ　１２２８９、ＮＣＩＢ　１２５１２、ＮＣＩＢ　１２５１３およびＤＳＭ　９３５のいずれかから得ることが可能である（ｅ）に記載のα−アミラーゼ」
を「組成物の０．０００１８重量％〜０．０６重量％含んでなる洗剤組成物」（上記摘示（２ａ）の請求項１参照）及び当該組成物の「１０℃〜２５℃の温度で、硬質表面クリーニングおよび／または手および機械による食器洗浄および／または洗濯のための・・使用」（上記摘示（２ａ）の請求項１８、摘示（２ｂ）及び（２ｃ）参照）は、いずれも少なくとも公知の技術である。
　また、上記「洗剤組成物」には、プロテアーゼなどの酵素、界面活性剤、漂白剤系、ビルダー、塩素スキャベンジャー、起泡抑制剤、汚れ懸濁剤、再付着防止剤、分散剤および／またはそれらの混合物から選択される洗剤成分をさらに添加使用することも公知の技術であり（上記摘示（２ａ）の請求項３ないし１６及び摘示（２ｄ）参照）、特にプロテアーゼについては、「Ｐｒｏｔｅａｓｅ　Ｄ」と呼ばれるＷＯ９５／１０５９１号公報（審決注：引用例１の国際公開文献である。）に記載のBaci1lus amyloliquefaciensズブチリシンから誘導されるカルボニルヒドロラーゼ変異体を併用することにより、相対的なクリーニングおよび汚れ除去性能が向上することも公知の技術である（上記摘示（２ｆ）参照）。
　
　してみると、引用発明において、さらにクリーニング性能を改善向上させることを意図し、上記引用例２の公知技術に基づき、アミラーゼとして、上記特定のα−アミラーゼ変種を０．１重量％以下である０．０００１８重量％〜０．０６重量％の範囲で使用しクリーニング組成物を構成することは、当業者が適宜なし得ることである。
　したがって、引用発明において、上記相違点１及び２に係る本件補正発明の発明特定事項を適用することは、いずれも当業者が適宜なし得ることである。
　
（ｃ）本件補正発明の効果について
　本件補正発明の効果につき検討すると、上記引用例２には、「Ｐｒｏｔｅａｓｅ　Ｄ」なるプロテアーゼ変種と特定のα−アミラーゼ（変種）を併用した洗剤組成物が向上したクリーニング性能を示すことが記載されている（上記摘示（２ｆ）参照）のであるから、引用発明と引用例２の公知技術を組み合わせてクリーニング組成物を構成した場合に、クリーニング性能が向上するであろうことは、当業者において予期し得ることである。
　また、本件補正発明の効果につき本件補正後の明細書の発明の詳細な説明の記載を検討しても、上記ア．で説示したとおり、本件補正発明に係るクリーニング組成物のクリーニング性能につきどの程度のものであるか認識することができる程度に記載されていないのであるから、当該発明の詳細な説明の記載に基づいても本件補正発明に係るクリーニング組成物のクリーニング性能は不明である。
　してみると、本件補正発明の効果は、引用発明と引用例２の公知技術を組み合わせた場合のものに比して、当業者が予期し得ない程度の格別顕著なものということができない。
　
（ｄ）小括
　したがって、本件補正発明は、引用発明及び引用例２の公知技術に基づいて、当業者が容易に発明をすることができたものである。
　
（３）独立特許要件に係る検討のまとめ
　本件補正後の出願は、上記（２）ア．で説示したとおり、明細書の発明の詳細な説明の記載が不備であり、平成１４年改正前特許法第３６条第４項に規定する要件を満たしておらず、また、上記（２）イ．で説示したとおり、明細書の特許請求の範囲の記載が不備であり、平成１４年改正前特許法第３６条第６項第１号に適合するものではなく、同法同条同項に規定する要件を満たしていないから、いずれにしても同法第４９条第４号の規定に該当し拒絶すべきものである。
　さらに、上記（２）ウ．で説示したとおり、本件補正発明は、その出願前に当業者が日本国内又は外国において頒布された下記の刊行物に記載された発明に基いて容易に発明をすることができたものであるから、特許法第２９条第２項の規定により、特許を受けることができない。
　したがって、本件補正発明は、いずれにしても、特許出願の際独立して特許を受けることができるものではない。
　
ＩＩＩ．補正の却下の決定のまとめ
　以上のとおりであるから、本件補正は、上記ＩＩ．２．で説示したとおり、平成１４年改正前の特許法第１７条の２第４項各号に掲げるいずれの事項を目的とするものでないか、仮に同法第１７条の２第４項第２号に掲げる「特許請求の範囲の減縮」を目的とするものであったとしても、上記ＩＩ．３．で説示したとおり、同法同条第５項で読み替えて準用する同法第１２６条第４項に違反する補正事項を含むものである。
　よって、本件補正は、特許法第１５９条第１項で読み替えて準用する同法第５３条第１項の規定により却下すべきものである。
　
第３　本願についての当審の判断
　
１．本願に係る発明
　平成２２年７月３０日付け手続補正は上記のとおり却下されたので、本願に係る発明は、平成２２年２月２２日付け手続補正により補正された本願明細書の記載からみて、その特許請求の範囲の請求項１ないし２３に記載された事項によりそれぞれ特定されるとおりのものであり、その内、請求項１に係る発明（以下「本願発明」という。）は以下の事項により特定されるとおりのものである。
「布帛および／または皿洗いおよび／または硬質表面クリーニング組成物であって、（Ａ）有効量のプロテアーゼ変種と、（Ｂ）アミラーゼ変種と、（Ｃ）一種以上のクリーニング補助物質とを含んでなるものであり、
　前記（Ａ）有効量のプロテアーゼ変種が、Bacillus　amyloliquefaciensズブチリシンの１０１Ｇ／１０３Ａ／１０４Ｉ／１５９Ｄ／２３２Ｖ／２３６Ｈ／２４５Ｒ／２４８Ｄ／２５２Ｋ位に相当する１以上のアミノ酸残基位置で、他の天然アミノ酸残基によるアミノ酸残基の置換を有するものであり、
　前記（Ｂ）アミラーゼ変種が、
（ｉ）２５〜５５℃の温度範囲および８〜１０範囲のｐＨ値で、Phadebasα‐アミラーゼ活性アッセイで測定すると、Termamylの比活性より少くとも２５％高い比活性を有することで特徴づけられるα‐アミラーゼ、
（ｉｉ）ＳＥＱ　ＩＤ　Ｎｏ．１で示されたアミノ酸配列を含んだ（ｉ）によるα‐アミラーゼ、またはＳＥＱ　ＩＤ　Ｎｏ．１で示されたアミノ酸配列と少なくとも８０％相同的なα‐アミラーゼ、
（ｉｉｉ）ＳＥＱ　ＩＤ　Ｎｏ．２で示されたアミノ酸配列を含んだ（ｉ）によるα‐アミラーゼ、またはＳＥＱ　ＩＤ　Ｎｏ．２で示されたアミノ酸配列と少なくとも８０％相同的なα‐アミラーゼ、
（ｉｖ）下記アミノ酸配列のＮ末端：Ｈｉｓ‐Ｈｉｓ‐Ａｓｎ‐Ｇｌｙ‐Ｔｈｒ‐Ａｓｎ‐Ｇｌｙ‐Ｔｈｒ‐Ｍｅｔ‐Ｍｅｔ‐Ｇｌｎ‐Ｔｙｒ‐Ｐｈｅ‐Ｇｌｕ‐Ｔｒｐ‐Ｔｙｒ‐Ｌｅｕ‐Ｐｒｏ‐Ａｓｎ‐Ａｓｐ（ＳＥＱ　ＩＤ　Ｎｏ．３）を含んだ（ｉ）によるα‐アミラーゼ、またはＮ末端において（ＳＥＱ　ＩＤ　Ｎｏ．３）で示されたアミノ酸配列と少なくとも８０％相同的なα‐アミラーゼ、又は
（ｖｉ）株ＮＣＩＢ１２２８９、ＮＣＩＢ１２５１２、ＮＣＩＢ１２５１３およびＤＳＭ９３５の何れかから得られるα‐アミラーゼであり、
　前記（Ｃ）クリーニング補助物質が、界面活性剤、溶媒、緩衝剤、酵素、汚れ放出剤、土汚れ除去剤、分散剤、増白剤、起泡抑制剤、布帛柔軟剤、泡増強剤、酵素安定剤、ビルダー、色素、香料、キラントおよびそれらの混合物からなる群より選択されてなるものである、クリーニング組成物。」
　
２．原審の拒絶査定の概要
　原審において、平成２１年８月１８日付け拒絶理由通知書で以下の内容を含む拒絶理由が通知され、当該拒絶理由が解消されていない点をもって下記の拒絶査定がなされた。
　
＜拒絶理由通知＞
「１．この出願は、発明の詳細な説明の記載が下記の点で、特許法第３６条第４項に規定する要件を満たしていない。
・・（中略）・・
４．この出願の下記の請求項に係る発明は、その出願前に日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
（１）理由１，２／請求項１−４６　
　本願実施例においては、Bacillus amyloliquefaciensズブチリシンの１０１Ｇ／１０３Ａ／１０４Ｉ／１５９Ｄ／２３２Ｖ／２３６Ｈ／２４５Ｒ／２４８Ｄ／２５２Ｋの変位を起こさせたものしか記載されておらず、そして、他の本発明に含まれるアミノ酸残基において変位されたプロテアーゼ変種においてクリーニング活性等が優れる等の例は示されておらず、それらが同様の活性を示す根拠も示されていない。
　そして、本発明に含まれるプロテアーゼ変種のうち、アミノ酸の変位後の置換残基や置換する位置の選択、ズブチリンの種類によっては、同様の活性を示さない蓋然性が高い。
　よって、実施例に具体的に開示されているものから本発明の範囲まで拡張ないし一般化できるとは認められず、また、当業者といえども過度の試行錯誤をしなければ、その発明の実施をすることができない。
・・（中略）・・
（９）理由４／請求項１−４６／引用文献１，３−５
　引用文献１には、 Bacillus amyloliquefaciensズブチリシンの103位及び特定の位置のアミノ酸残基の変異体を含むクリーニング組成物及びパーソナルクレンジング組成物が記載されている。（【特許請求の範囲】【実施例】【第７１頁〜７２頁】）
　上記文献には、103位のアミノ酸残基と、本請求項に記載の組み合わせにてアミノ酸残基を変位させることは記載されていないが、引用文献１に記載のアミノ酸残基に加え、他の変位させるアミノ酸残基を選択することは当業者が適宜なしうることである。
　また、実施例に記載のプロテアーゼ変種も含め、格別の効果も認められない。
　そして、引用文献１の請求項７には、組成物にアミラーゼを併用しうることも記載されており、また、引用文献３−５に示される通り、請求項１等に記載のα−アミラーゼも公知であり、引用文献１に記載の組成物において併用することは当業者が容易になしうるものである。
・・（中略）・・
　　　　　　　　　　　引　用　文　献　等　一　覧
１．特表平９−５０５８４１号公報
・・（中略）・・
３．国際公開第９７／３２９６１号
・・（後略）」
　
＜拒絶査定＞
「この出願については、平成２１年　８月１８日付け拒絶理由通知書に記載した理由によって、拒絶をすべきものです。
　なお、意見書並びに手続補正書の内容を検討しましたが、拒絶理由を覆すに足りる根拠が見いだせません。
　
備考
　
（１）理由１，２／請求項１−２３
　出願人は、本請求項におけるプロテアーゼ変種について、「１０１Ｇ／１０３Ａ／１０４Ｉ／１５９Ｄ／２３２Ｖ／２３６Ｈ／２４５Ｒ／２４８Ｄ／２５２Ｋ位に相当する１以上のアミノ酸残基位置で、他の天然アミノ酸残基によるアミノ酸残基の置換を有するものであり」と限定する補正により拒絶理由は解消される旨主張しているが、結局上記位置の変位に限定したとしてもその組み合わせは無数にあり、また実施例１におけるプロテアーゼ１についても具体的な配列は不明であり、上記プロテアーゼ変種に包含されるもの全てが本発の効果を有するという根拠にはならない。
　また、プロテアーゼは、例え一残基であっても、アミノ酸の変位後の置換残基や置換する位置の選択、十分な活性を示さない蓋然性が高い。
　そして、本発明に包含されるプロテアーゼ変種の全てが優れたクリーニング活性を有するという具体的な実験結果や根拠は依然として示されていない。
　よって、本発明は、実施例の記載から本発明の範囲まで拡張ないし一般化できるとは認められず、また、当業者といえども過度の試行錯誤をしなければ、その発明の実施をすることができない。
・・（中略）・・
（３）理由４／請求項１−２３
　出願人は、引用文献１には、本請求項に記載のプロテアーゼ変種とアミラーゼ変種を用いることは記載されておらず、その組み合わせを見いだすことは当業者といえども相当困難である旨主張している。
　しかしながら、引用文献１には、Bacillus amyloliquefaciensズブチリシンの１０３−１０４のいずれかの位置を変位させること、及び引用文献２には同ズブチリンの１０３−１０４，１５９，２３６，２４５，２４８のいずれかの位置を変位させることが記載されており、本発明のプロテアーゼ変種とは差異がない。
　また、アミラーゼとして公知のものを採用することも当業者が容易になしうるものであり、格別の効果も認められない。」
　
３．当審の判断
　当審は、
　本願は、下記の理由Ａ又はＢにより、特許法第４９条第２号又は第４号の規定に該当し、拒絶すべきものである、
と判断する。
　
理由Ａ：本願は、明細書の発明の詳細な説明の記載が下記の点で不備であり、平成１４年改正前特許法第３６条第４項に規定する要件を満たしていない。
理由Ｂ：本願発明は、その出願前に当業者が日本国内又は外国において頒布された下記の刊行物に記載された発明に基いて容易に発明をすることができたものであるから、特許法第２９条第２項の規定により、特許を受けることができない。
　
（１）理由Ａについて
　上記第２で決定をもって却下した平成２２年７月３０日付け手続補正では、明細書の発明の詳細な説明について補正されていない。
　してみると、本願明細書の発明の詳細な説明には、上記第２のＩＩ．３．（２）ア．（ア）で摘示した（ア−１）ないし（ア−９）の事項が記載されている。
　そして、本願明細書の発明の詳細な説明につき、上記第２のＩＩ．３．（２）ア．（イ）で示したとおり、実施例に係る部分以外の部分（【０００１】〜【０１９６】）では、「多置換プロテアーゼ変種である新規なプロテアーゼ酵素、およびアミラーゼ変種、特にα‐アミラーゼ変種であるアミラーゼ酵素の組合せは、従来の酵素含有クリーニング組成物に対して、および／または本発明のアミラーゼ酵素なしに本発明の新規プロテアーゼ酵素を含有したクリーニング組成物に対して、向上したおよび／または改善された汚れおよび／またはしみ除去効果を発揮することがわかった。」又は「更に、本発明の新規プロテアーゼ酵素と本発明のアミラーゼ酵素との新規組合せを有したクリーニング組成物は、本発明の新規プロテアーゼ酵素または本発明のアミラーゼ酵素の双方ではなく、どちらか一方を含んだクリーニング組成物により得られる相加的クリーニング効果よりも、優れたクリーニング効果を発揮することが、意外にもわかった。」（上記摘示（ア−７）参照）及び「本発明の多置換プロテアーゼ変種は、クリーニング組成物で本発明のアミラーゼ変種と併用されたときに、従来の酵素含有クリーニング組成物よりも、・・しみおよび／または汚れ除去および／または減少および／または白さ維持および／または黒ずみ除去および／またはしみ付きおよび／または皮膜除去および／または減少を含めて、改善された高いクリーニング能力を発揮することが、意外にも発見された」（上記摘示（ア−８）参照）と記載されているのみであり、そのほかに本願発明のクリーニング組成物のクリーニング性能を当業者が認識することができる記載はなく、また、実施例に係る部分（【０１９７】〜【０２３２】）では、構成された各クリーニング組成物のクリーニング性能を当業者が認識することができる記載はない。
　さらに、本願発明に係るプロテアーゼ変種とアミラーゼ変種とを併用したクリーニング組成物が従来技術以上のクリーニング性能を奏することを当業者において客観的に認識できるような技術常識が存するものとも認められない。
　なお、本願明細書の発明の詳細な説明にも、「更に、本発明の新規プロテアーゼ酵素と本発明のアミラーゼ酵素との新規組合せを有したクリーニング組成物は、本発明の新規プロテアーゼ酵素または本発明のアミラーゼ酵素の双方ではなく、どちらか一方を含んだクリーニング組成物により得られる相加的クリーニング効果よりも、優れたクリーニング効果を発揮することが、意外にもわかった。」（上記摘示（ア−７）参照）と記載しているとおり、本願発明が従来技術のものに比して、優れたクリーニング効果を発揮することは、本願出願の日（優先日）前の技術常識を有する当業者にとって意外なものであると、請求人も自認するところである。
　してみると、クリーニング性能に関する具体的記載がない本願明細書の発明の詳細な説明の記載に接した他の当業者が、技術常識に照らして、本願発明のクリーニング性能につきどの程度のものであるかを認識することができるということはできない。
　したがって、本願明細書の発明の詳細な説明の記載では、従来技術以上の優れたクリーニング性能を有するクリーニング組成物を提供するという本願発明の技術上の意義を、たとえ当業者の技術常識に照らしたとしても、他の当業者において客観的に理解することができるように記載したものということができない。
　
（ウ）小括
　よって、本願明細書の発明の詳細な説明は、従来技術に対して「改善された高いクリーニング能力を発揮するクリーニング組成物の提供」という技術上の意義を有する本願発明につき、当業者がその実施をすることができる程度に明確かつ十分に記載したものということができない。
　
（２）理由Ｂについて
　
ア．引用例に記載された事項及び発明
　ここで、上記拒絶理由通知及び拒絶査定で引用された引用文献１及び３は、上記第２の補正の却下の決定で引用した引用例１及び２である。
　したがって、上記引用例１には、上記第２のＩＩ．３．（２）ウ．（ア）（ア−１）で摘示した（１ａ）ないし（１ｈ）の事項が、上記引用例２には、上記第２のＩＩ．３．（２）ウ．（ア）（ア−２）で摘示した（２ａ）ないし（２ｆ）の事項が、それぞれ記載されており、上記引用例１には、上記第２のＩＩ．３．（２）ウ．（イ）（イ−１）に示した「引用発明」が記載されているものと認められる。
　
イ．本願発明との対比・検討
　
（ア）対比
　本願発明と引用発明とを対比すると、引用発明における「布帛および／または皿洗いおよび／または硬質表面クリーニング組成物であって・・クリーニング組成物。」は、本願発明における「布帛および／または皿洗いおよび／または硬質表面クリーニング組成物であって、・・クリーニング組成物。」に相当し、また、引用発明における「プロテアーゼ酵素」、「アミラーゼなどの補助酵素」及び「クリーニング組成物物質」は、本願発明における「（Ａ）有効量のプロテアーゼ（変種）」、「（Ｂ）アミラーゼ（変種）」及び「（Ｃ）一種以上のクリーニング補助物質」に相当することが明らかである。
　なお、引用発明における「０．０００１〜１０重量％のプロテアーゼ酵素」の「０．０００１〜１０重量％」なる量比は、当該酵素の有効量を示すことが当業者に自明であるから、本願発明における「有効量の」に相当する。
　さらに、引用発明における「（Ａ）プロテアーゼ酵素が、Bacillus　amyloliquefaciensズブチリシンの１０１位に相当するアミノ酸残基位置で、グリシン残基によるアミノ酸残基の置換を有するもの」は、Bacillus　amyloliquefaciensズブチリシンの１０１位がグリシン（Ｇ）で置換されているのであるから、本願発明における「（Ａ）プロテアーゼ変種が、Bacillus　amyloliquefaciensズブチリシンの１０１Ｇ・・位に相当する・・アミノ酸残基位置で、他の天然アミノ酸残基によるアミノ酸残基の置換を有するもの」に相当する。
　そして、引用発明における「（Ｃ）クリーニング組成物物質が、界面活性剤、溶媒、緩衝剤、酵素、汚れ放出剤、土汚れ除去剤、分散剤、増白剤、起泡抑制剤、布帛柔軟剤、起泡増強剤、酵素安定剤、ビルダー、・・色素、香料およびそれらの混合物からなる群より選択されるものであり」は、本願発明における「（Ｃ）クリーニング補助物質が、界面活性剤、溶媒、緩衝剤、酵素、汚れ放出剤、土汚れ除去剤、分散剤、増白剤、起泡抑制剤、布帛柔軟剤、泡増強剤、酵素安定剤、ビルダー、色素、香料・・およびそれらの混合物からなる群より選択されてなるものである」に相当する。
　したがって、本願発明と引用発明とは、
「布帛および／または皿洗いおよび／または硬質表面クリーニング組成物であって、
（Ａ）有効量のプロテアーゼ変種と、
（Ｂ）アミラーゼと、
（Ｃ）一種以上のクリーニング補助物質とを含んでなるものであり、
前記（Ａ）プロテアーゼ変種が、Bacillus　amyloliquefaciensズブチリシンの１０１Ｇ位に相当するアミノ酸残基位置で、他の天然アミノ酸残基によるアミノ酸残基の置換を有するものであり、
前記（Ｃ）クリーニング補助物質が、界面活性剤、溶媒、緩衝剤、酵素、汚れ放出剤、土汚れ除去剤、分散剤、増白剤、起泡抑制剤、布帛柔軟剤、泡増強剤、酵素安定剤、ビルダー、色素、香料およびそれらの混合物からなる群より選択されてなるものである、クリーニング組成物。」
の点で一致し、下記の点でのみ相違するものと認められる。
　
＜相違点Ａ＞：「アミラーゼ」につき、本願発明では、
「前記（Ｂ）アミラーゼ変種が、
（ｉ）２５〜５５℃の温度範囲および８〜１０範囲のｐＨ値で、Phadebasα‐アミラーゼ活性アッセイで測定すると、Termamylの比活性より少くとも２５％高い比活性を有することで特徴づけられるα‐アミラーゼ、
（ｉｉ）ＳＥＱ　ＩＤ　Ｎｏ．１で示されたアミノ酸配列を含んだ（ｉ）によるα‐アミラーゼ、またはＳＥＱ　ＩＤ　Ｎｏ．１で示されたアミノ酸配列と少なくとも８０％相同的なα‐アミラーゼ、
（ｉｉｉ）ＳＥＱ　ＩＤ　Ｎｏ．２で示されたアミノ酸配列を含んだ（ｉ）によるα‐アミラーゼ、またはＳＥＱ　ＩＤ　Ｎｏ．２で示されたアミノ酸配列と少なくとも８０％相同的なα‐アミラーゼ、
（ｉｖ）下記アミノ酸配列のＮ末端：Ｈｉｓ‐Ｈｉｓ‐Ａｓｎ‐Ｇｌｙ‐Ｔｈｒ‐Ａｓｎ‐Ｇｌｙ‐Ｔｈｒ‐Ｍｅｔ‐Ｍｅｔ‐Ｇｌｎ‐Ｔｙｒ‐Ｐｈｅ‐Ｇｌｕ‐Ｔｒｐ‐Ｔｙｒ‐Ｌｅｕ‐Ｐｒｏ‐Ａｓｎ‐Ａｓｐ（ＳＥＱ　ＩＤ　Ｎｏ．３）を含んだ（ｉ）によるα‐アミラーゼ、またはＮ末端において（ＳＥＱ　ＩＤ　Ｎｏ．３）で示されたアミノ酸配列と少なくとも８０％相同的なα‐アミラーゼ、又は
（ｖｉ）株ＮＣＩＢ１２２８９、ＮＣＩＢ１２５１２、ＮＣＩＢ１２５１３およびＤＳＭ９３５の何れかから得られるα‐アミラーゼ」であるのに対して、引用発明では「アミラーゼ」である点
　
（イ）検討
　上記相違点Ａにつき検討すると、相違点Ａは、上記第２のＩＩ．３．（２）ウ．（イ）（イ−２）（ａ）で指摘した相違点１と実質的に同一の事項であるから、相違点１につき上記第２のＩＩ．３．（２）ウ．（イ）（イ−２）（ｂ）で説示した理由と同一の理由により、引用発明において、相違点Ａに係る本願発明の発明特定事項を適用することについても当業者が適宜なし得ることである。
　そして、本願発明と上記本件補正発明とは、解決課題及び奏すべき効果につき相違するものではないから、本願発明の効果についても、上記第２のＩＩ．３．（２）ウ．（イ）（イ−２）（ｃ）で説示した理由と同一の理由により、引用発明と引用例２の公知技術を組み合わせた場合のものに比して、当業者が予期し得ない程度の格別顕著なものということができない。
　
（ウ）小括
　してみると、本願発明は、引用発明及び引用例２の公知技術に基づいて、当業者が容易に発明をすることができたものである。
　
（３）まとめ
　上記（１）で説示したとおり、本願は、明細書の発明の詳細な説明の記載が不備であり、平成１４年改正前特許法第３６条第４項に規定する要件を満たしていないから、同法第４９条第４号の規定に該当し拒絶すべきものである。
　また、上記（２）で説示したとおり、本願発明は、その出願前に当業者が日本国内又は外国において頒布された下記の刊行物に記載された発明に基いて容易に発明をすることができたものであって、特許法第２９条第２項の規定により、特許を受けることができないものであるから、本願は、同法第４９条第２号の規定に該当し、拒絶すべきものである。
　
第４　むすび
　以上のとおりであるから、本願は、その余について検討するまでもなく、拒絶すべきものである。
　よって、結論のとおり審決する。